(57)【要約】【課題】  チューナー回路のチューニングモードの自動切替え、およびチューニング時あるいはチューニング完了後における種々の信号情報の自動配置、およびユーザーが任意に種々の信号情報を自動的に配置することが可能な自動同調装置を得る。【解決手段】  映像信号方式がＮＴＳＣ方式かその他の方式かを判別するＳＹＮＣ判別回路１１および、チューニングモードの切換えを行うチューニングモード切換回路１２、カラーバースト信号（アイデント信号）Ｓ８を受け、映像信号方式がＰＡＬ方式かＳＥＣＡＭ方式かを判別するカラー判別回路１３を備えている。ＮＴＳＣ方式、ＰＡＬ方式、ＳＥＣＡＭ方式、ＳＥＣＡＭ−Ｌ方式については、ユーザーが同調手段の同調モードを設定する必要がなくなるので、ユーザーに負担をかけない自動同調装置が得られる。【選択図】図１４
2004173298.tif 000002
【特許請求の範囲】
【請求項１】
少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記映像信号処理手段からの前記同期信号を受けて、１秒間あたりの前記同期信号のパルス数を計数し、そのパルス数に応じて前記映像信号の信号方式を判別するとともに、判別結果を同期信号判別信号として出力する同期信号判別手段と、
前記同期信号判別信号を受け、前記同調手段の同調モードを前記映像信号の信号方式に合わせて変更するための同調モード切換信号を出力するとともに、前記同調制御手段に前記同期信号判別信号を与える同調モード切換手段とを備え、
前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする自動同調装置。
【請求項２】
少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記映像信号処理手段からの前記同期信号を受けて、前記同期信号の後縁部に重畳するカラーバースト信号の周波数を計数し、その周波数に応じて前記映像信号の信号方式を判別するとともに、判別結果をカラー信号判別信号として出力するカラー信号判別手段と、前記カラー判別信号を受け、前記同調手段の同調モードを前記映像信号の信号方式に合わせて変更するための同調モード切換信号を出力するとともに、前記同調制御手段に前記カラー信号判別信号を与える同調モード切換手段とを備え、
前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする自動同調装置。
【請求項３】
少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記映像信号処理手段からの前記同期信号を受けて、１秒間あたりの前記同期信号のパルス数を計数し、そのパルス数に応じて前記映像信号の信号方式を判別するとともに、判別結果を同期信号判別信号として出力する同期信号判別手段と、
前記映像信号処理手段からの前記同期信号を受けて、前記同期信号の後縁部に重畳するカラーバースト信号の周波数を計数し、その周波数に応じて前記映像信号の信号方式を判別するとともに、判別結果をカラー信号判別信号として出力するカラー信号判別手段と、前記同期信号判別信号および前記カラー信号判別信号を受け、前記同調手段の同調モードを前記映像信号の信号方式に合わせて変更するための同調モード切換信号を出力するとともに、前記同調制御手段に前記同期信号判別信号および前記カラー判別信号を与える同調モード切換手段とを備え、
前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする自動同調装置。
【請求項４】
映像信号と音声信号とを含む放送電波から所定のチャネルを同調選択する同調手段と、該同調手段から出力される前記音声信号を受けて、前記音声信号の信号方式に合わせて音声復調を行い、復調済み音声信号として出力する音声処理手段と、前記同調手段からの受信信号により放送局の有無を検知するＡＦＴ検出手段と、復調済み音声信号と前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記音声処理手段は、
前記音声信号がそれぞれ並列して与えられる複数の音声復調手段と、
前記複数の音声復調手段にそれぞれ接続され、前記音声信号の信号方式に対応した周波数のうち、互いに異なる１つの周波数のみを発振する電圧制御発振手段とを有し、
前記音声信号に対応した周波数を発振する電圧制御発振手段を有する音声復調手段のみが音声復調を行うとともに、前記同調制御手段を介して、前記音声信号に対応した周波数の値を前記同調周波数に関するデータと共に前記記憶手段に記憶することを特徴とする自動同調装置。
【請求項５】
映像信号と音声信号とを含む放送電波から所定のチャネルを同調選択する同調手段と、該同調手段から出力される前記音声信号を受けて、前記音声信号の信号方式に合わせて音声復調を行い、復調済み音声信号として出力する音声処理手段と、前記同調手段からの受信信号により放送局の有無を検知するＡＦＴ検出手段と、復調済み音声信号と前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記音声処理手段は、
音声復調手段と、
前記音声復調手段に接続され、前記音声信号の信号方式に対応した種々の周波数を発振する電圧制御発振手段と、
前記音声復調手段の出力側に接続され、前記音声復調手段から前記復調済み音声信号が出力されているか否かを判別し、その結果を同調制御手段に与える音声検波手段とを有し、
前記電圧制御発振手段に前記音声信号に対応した周波数を発振させて音声復調を行うとともに、前記同調制御手段を介して、前記音声信号に対応した周波数の値を前記同調周波数に関するデータと共に前記記憶手段に記憶することを特徴とする自動同調装置。
【請求項６】
少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記映像信号処理手段からの前記同期信号を受けて、前記映像信号の信号方式を判別するとともに、判別結果を映像信号方式情報として前記記憶手段に与える映像信号方式判別手段と、
前記記憶手段に記憶された少なくとも前記同調手段の同調周波数に関するデータを含む記憶内容を、予め設定された順に自動的に並べ替える、ソーティング制御手段とを備え、前記同調制御手段を介して、前記映像信号方式情報を前記同調周波数に関するデータとともに前記記憶手段に記憶するとともに、
前記映像信号方式情報および対応する前記同調周波数に関するデータを、予め設定された順に自動的に並べ替えることを特徴とする自動同調装置。
【請求項７】
前記映像信号方式判別手段は、
前記映像信号処理手段からの前記同期信号を受けて、１秒間あたりの前記同期信号のパルス数を計数し、そのパルス数に応じて前記映像信号の映像信号方式を判別する同期信号判別手段を有し、
前記映像信号方式情報は、判別結果として前記同期信号判別手段から出力される同期信号判別信号である請求項６記載の自動同調装置。
【請求項８】
前記映像信号方式判別手段は、
前記映像信号処理手段からの前記同期信号を受けて、前記同期信号の後縁部に重畳するカラーバースト信号の周波数を計数し、その周波数に応じて前記映像信号の映像信号方式を判別するカラー信号判別手段を有し、
前記映像信号方式情報は、判別結果として前記カラー信号判別手段から出力されるカラー信号判別信号である請求項６記載の自動同調装置。
【請求項９】
前記映像信号方式判別手段は、
前記映像信号処理手段からの前記同期信号を受けて、１秒間あたりの前記同期信号のパルス数を計数し、そのパルス数に応じて前記映像信号の映像信号方式を判別する同期信号判別手段と、
前記映像信号処理手段からの前記同期信号を受けて、前記同期信号の後縁部に重畳するカラーバースト信号の周波数を計数し、その周波数に応じて前記映像信号の映像信号方式を判別するカラー信号判別手段とを有し、
前記映像信号方式情報は、判別結果として前記同期信号判別手段および前記カラー信号判別手段から出力される同期信号判別信号およびカラー信号判別信号である請求項６記載の自動同調装置。
【請求項１０】
音声信号と映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、
前記同調手段から出力される前記音声信号を受けて、前記音声信号の信号方式を判別するとともに、判別結果を音声信号方式情報として前記同調制御手段に与える音声信号方式判別手段と、
前記記憶手段に記憶された少なくとも前記同調手段の同調周波数に関するデータを含む記憶内容を、予め設定された順に自動的に並べ替える、ソーティング制御手段とを備え、前記同調制御手段を介して、前記音声信号方式情報を前記同調周波数に関するデータとともに前記記憶手段に記憶するとともに、
前記音声信号方式情報および対応する前記同調周波数に関するデータを、予め設定された順に自動的に並べ替えることを特徴とする自動同調装置。
【請求項１１】
前記音声信号方式判別手段は、
前記音声信号がそれぞれ並列して与えられる複数の音声復調手段と、
前記複数の音声復調手段にそれぞれ接続され、前記音声信号の信号方式に対応した周波数のうち、互いに異なる１つの周波数のみを発振する電圧制御発振手段とを有し、
前記音声信号方式情報は、前記音声信号に対応した周波数を発振する前記電圧制御発振手段の周波数の値である請求項１０記載の自動同調装置。
【請求項１２】
前記音声信号方式判別手段は、
音声復調手段と、
前記音声復調手段に接続され、前記音声信号の信号方式に対応した種々の周波数を発振する電圧制御発振手段と、
前記音声復調手段の出力側に接続され、前記音声復調手段から前記復調済み音声信号が出力されているか否かを判別し、その結果を同調制御手段に与える音声検波手段とを有し、
前記音声信号方式情報は、前記音声復調手段において前記音声信号を復調するために、前記電圧制御発振手段が発振する周波数の値である請求項１０記載の自動同調装置。
【請求項１３】
前記記憶手段に接続され、前記記憶内容の並べ替え順を任意に設定する、ソート順序設定手段をさらに備える請求項６〜請求項１２のいずれかに記載の自動同調装置。
【発明の詳細な説明】
【技術分野】
【０００１】
本発明は自動同調装置に関し、特にＶＴＲの自動同調装置において自動同調時の信号方式の判別および、記憶した信号情報の処理を行う自動同調装置に関するものである。
【背景技術】
【０００２】
従来のＶＴＲ（VIDEO TAPE RECORDER）の自動同調装置について図５１〜図５３を用いて説明する。図５１は、従来のＶＴＲの自動同調装置における主要部分のブロック図であり、図５２は、その動作についてのフローチャートである。また、図５３は、チューニング時のステーション番号（便宜的な放送局番号）とチューニング完了後のポジション番号（放送局を選択するためのＶＴＲ装置上の便宜的な番号）の関係を示す。
【０００３】
図５１において、２は外部からの制御信号により映像信号方式に対応した切替えが可能なチューナー回路、３はチューナー回路２からコンポジットの映像信号Ｓ１を受けて、信号処理を行う同期信号（SYNCHRONIZING SIGNAL：ＳＹＮＣと略記）分離回路を含む映像信号処理回路（図中ではＹ／Ｃと略記）、４はチューナー回路２からの受信信号により放送局の有無を検知するＡＦＴ検出回路、５はチューニングコントロール回路、６はメモリ回路であり、チューニングコントロール回路５とメモリ回路６を備えてシステムコントローラ７が構成されている。８は入力信号の搬送方式に合わせてチューニングコントロール回路５の動作を切換えるための入力信号方式切換えスイッチである。
【０００４】
次に図５２および図５３を用いて動作について説明する。まず、自動同調（以下オートチューニングと呼称）の動作を図５３のフローチャートを用いて説明する。ユーザーから、自動同調（以下オートチューニングと呼称）のコマンドをシステムコントローラ７が受けると、初期設定として、チューナー回路２のチューニングモードをＰＡＬ方式に設定し、メモリ６のメモリーのアドレスをステーション番号「０」に設定する（ステップＳＴ１）。
【０００５】
次にチューナー回路２に対してチューニングコントロール信号Ｓ３を送り、一定量だけチューニング周波数を上げる方向へ制御する（ステップＳＴ２）。
【０００６】
この時、その周波数の信号を発信している放送局の有無を検知するため、ＡＦＴ検出回路４の出力であるＡＦＴ（AUTOMATICFINETUNING：自動微同調）信号Ｓ４と、映像信号処理回路３にて分離された信号の有無を示すＳＹＮＣ信号Ｓ２とを、チューニングコントロール回路５に入力し、判別を行なう（ステップＳＴ３）。
【０００７】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ４）。ここで、チューニングデータとは周波数に関するデータを示す。
【０００８】
続いて、次のチューニングデータを記憶するために、メモリ６のアドレスを１つインクリメントして、ステーション番号「１」として次のチューニング動作に入る（ステップＳＴ５）。
【０００９】
一方、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ６）。このときの周波数がチューニング周波数の上限に達していればチューニングを終了するが、そうでない場合はステップＳＴ２の動作を再び行う。ステップＳＴ２〜ＳＴ６までの動作を繰り返し、チューニング周波数の上限に達するとチューニングを終了する。
【００１０】
チューニングにより得られたチューニングデータは、メモリ６内のアドレスから、選局のためのシステムに与えられ、選局のためのポジション番号が振り当てられチューニングモードが終了する。
【００１１】
以上説明したオートチューニングにより得られた結果は図５３のように表される。図５３は、メモリ６のアドレスのステーション番号と、そこに記憶されたチューニングデータを示し、かつ、ステーション番号と選局のためのポジション番号との関係を示している。
【００１２】
図５３において、ステーション番号「０」〜「３」には、チューニングデータとしてそれぞれ「Ｂ局」、「Ｄ局」、「Ｃ局」、「Ａ局」の発信周波数に相当する周波数データが記憶されていることを示している。一方、ステーション番号「４」〜「９９」には、記憶されるべきデータが存在しない、すなわち放送局が存在していないことを示している。
【００１３】
これらは、選局のためのシステムにおいては、ポジション番号「０」〜「３」には、それぞれ「Ｂ局」、「Ｄ局」、「Ｃ局」、「Ａ局」の発信周波数に相当する周波数データが記憶され、ポジション番号「４」〜「９９」は、データの読み出しをする必要がないのでスキップされている。
【００１４】
ユーザーは、オートチューニングを終了した時点から、ＶＴＲの選局システムを使用することができ、ポジション番号に対応するスイッチを選択することで、チューニングされた信号を得ることができる。ただし、オートチューニングにおいてはＰＡＬ方式で伝送される信号のみについてチューニング動作がなされているので、ＰＡＬ方式以外の伝送方式で伝送される信号は得ることができない。ＰＡＬ方式以外の伝送方式の信号をチューニングしたい場合は、チューニングコントロール回路５に接続された入力信号方式切換えスイッチ８を切り換えることで、チューニングコントロール回路５は入力信号方式切換えのための制御信号ＳＣＯＮをチューナー回路２に与えることになる。
【発明の開示】
【発明が解決しようとする課題】
【００１５】
従来の自動同調装置は以上のように構成されているので、入力信号の伝送方式については、初期設定でＰＡＬ方式に設定されており、ＰＡＬ方式以外の伝送方式の信号をチューニングする場合は、オートチューニング完了後に、ユーザーが入力信号方式切換えスイッチ８を手動で切替えて、再チューニングを行なわなくてはならないという問題があった。
【００１６】
また、オートチューニング時には、周波数に関するデータのみが記憶されるので、チューニングされた放送局の種類や信号の強弱、国によって異なる音声信号方式や映像信号方式に関してのデータがないために、オートチューニング完了後、これらの相違によるポジションの選択をユーザーに強いることになるなどの問題点があった。
【００１７】
この発明は上記のような問題点を解消するためになされたもので、チューナー回路のチューニングモードを、自動的に音声信号方式および映像信号方式に対応させて切替えたり、チューニング時あるいはチューニング完了後に、予め設定されたポジション番号に対応させて種々の信号情報を自動的に配置したり、あるいはユーザーの欲するポジション番号に対応させて種々の信号情報を自動的に配置したりすることが可能な自動同調装置を得ることを目的とする。
【課題を解決するための手段】
【００１８】
本発明に係る請求項１記載の自動同調装置は、少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記映像信号処理手段からの前記同期信号を受けて、１秒間あたりの前記同期信号のパルス数を計数し、そのパルス数に応じて前記映像信号の信号方式を判別するとともに、判別結果を同期信号判別信号として出力する同期信号判別手段と、前記同期信号判別信号を受け、前記同調手段の同調モードを前記映像信号の信号方式に合わせて変更するための同調モード切換信号を出力するとともに、前記同調制御手段に前記同期信号判別信号を与える同調モード切換手段とを備え、前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする。
【００１９】
本発明に係る請求項１記載の自動同調装置によれば、同期信号判別手段により判別された映像信号の信号方式に合わせて同調手段の同調モードを自動的に変更するとともに、同調制御手段を介して、同調手段の同調モードを同調周波数に関するデータとともに前記記憶手段に記憶することにより、同期信号判別手段により判別される映像信号の信号方式については、ユーザーが同調手段の同調モードを設定する必要がなくなる。
【００２０】
本発明に係る請求項２記載の自動同調装置は、少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記映像信号処理手段からの前記同期信号を受けて、前記同期信号の後縁部に重畳するカラーバースト信号の周波数を計数し、その周波数に応じて前記映像信号の信号方式を判別するとともに、判別結果をカラー信号判別信号として出力するカラー信号判別手段と、前記カラー判別信号を受け、前記同調手段の同調モードを前記映像信号の信号方式に合わせて変更するための同調モード切換信号を出力するとともに、前記同調制御手段に前記カラー信号判別信号を与える同調モード切換手段とを備え、前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする。
【００２１】
本発明に係る請求項２記載の自動同調装置によれば、カラー信号判別手段により判別された映像信号の信号方式に合わせて同調手段の同調モードを自動的に変更するとともに、同調制御手段を介して、同調手段の同調モードを同調周波数に関するデータとともに前記記憶手段に記憶することにより、カラー信号判別手段により判別される映像信号の信号方式については、ユーザーが同調手段の同調モードを設定する必要がなくなる。
【００２２】
本発明に係る請求項３記載の自動同調装置は、少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記映像信号処理手段からの前記同期信号を受けて、１秒間あたりの前記同期信号のパルス数を計数し、そのパルス数に応じて前記映像信号の信号方式を判別するとともに、判別結果を同期信号判別信号として出力する同期信号判別手段と、前記映像信号処理手段からの前記同期信号を受けて、前記同期信号の後縁部に重畳するカラーバースト信号の周波数を計数し、その周波数に応じて前記映像信号の信号方式を判別するとともに、判別結果をカラー信号判別信号として出力するカラー信号判別手段と、前記同期信号判別信号および前記カラー信号判別信号を受け、前記同調手段の同調モードを前記映像信号の信号方式に合わせて変更するための同調モード切換信号を出力するとともに、前記同調制御手段に前記同期信号判別信号および前記カラー判別信号を与える同調モード切換手段とを備え、前記同調手段の同調モードを前記映像信号の信号方式に合わせて自動的に変更するとともに、前記同調制御手段を介して、前記同調手段の同調モードを前記同調周波数に関するデータとともに前記記憶手段に記憶することを特徴とする。
【００２３】
本発明に係る請求項３記載の自動同調装置によれば、同期信号判別手段およびカラー信号判別手段により判別された映像信号の信号方式に合わせて同調手段の同調モードを自動的に変更するとともに、同調制御手段を介して、同調手段の同調モードを同調周波数に関するデータとともに前記記憶手段に記憶することにより、同期信号判別手段およびカラー信号判別手段により判別される映像信号の信号方式については、ユーザーが同調手段の同調モードを設定する必要がなくなる。
【００２４】
本発明に係る請求項４記載の自動同調装置は、映像信号と音声信号とを含む放送電波から所定のチャネルを同調選択する同調手段と、該同調手段から出力される前記音声信号を受けて、前記音声信号の信号方式に合わせて音声復調を行い、復調済み音声信号として出力する音声処理手段と、前記同調手段からの受信信号により放送局の有無を検知するＡＦＴ検出手段と、復調済み音声信号と前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記音声処理手段は、前記音声信号がそれぞれ並列して与えられる複数の音声復調手段と、前記複数の音声復調手段にそれぞれ接続され、前記音声信号の信号方式に対応した周波数のうち、互いに異なる１つの周波数のみを発振する電圧制御発振手段とを有し、前記音声信号に対応した周波数を発振する電圧制御発振手段を有する音声復調手段のみが音声復調を行うとともに、前記同調制御手段を介して、前記音声信号に対応した周波数の値を前記同調周波数に関するデータと共に前記記憶手段に記憶することを特徴とする。
【００２５】
本発明に係る請求項４記載の自動同調装置によれば、並列に設けられた音声復調手段のうち、音声信号に対応した周波数を発振する電圧制御発振手段を有する音声復調手段が音声復調を行うので、音声復調に費やす時間が短く、自動同調中および自動同調終了後に、放送電波を音声信号の信号方式によって判別することが可能となる。
【００２６】
本発明に係る請求項５記載の自動同調装置は、映像信号と音声信号とを含む放送電波から所定のチャネルを同調選択する同調手段と、該同調手段から出力される前記音声信号を受けて、前記音声信号の信号方式に合わせて音声復調を行い、復調済み音声信号として出力する音声処理手段と、前記同調手段からの受信信号により放送局の有無を検知するＡＦＴ検出手段と、復調済み音声信号と前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記音声処理手段は、音声復調手段と、前記音声復調手段に接続され、前記音声信号の信号方式に対応した種々の周波数を発振する電圧制御発振手段と、前記音声復調手段の出力側に接続され、前記音声復調手段から前記復調済み音声信号が出力されているか否かを判別し、その結果を同調制御手段に与える音声検波手段とを有し、前記電圧制御発振手段に前記音声信号に対応した周波数を発振させて音声復調を行うとともに、前記同調制御手段を介して、前記音声信号に対応した周波数の値を前記同調周波数に関するデータと共に前記記憶手段に記憶することを特徴とする。
【００２７】
本発明に係る請求項５記載の自動同調装置によれば、電圧制御発振手段に音声信号に対応した周波数を発振させて音声復調を行うので、音声復調手段と電圧制御発振手段の必要数が少なくて済み、自動同調中および自動同調終了後に、放送電波を音声信号の信号方式によって判別することが可能となる。
【００２８】
本発明に係る請求項６記載の自動同調装置は、少なくとも映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記映像信号処理手段からの前記同期信号を受けて、前記映像信号の信号方式を判別するとともに、判別結果を映像信号方式情報として前記記憶手段に与える映像信号方式判別手段と、前記記憶手段に記憶された少なくとも前記同調手段の同調周波数に関するデータを含む記憶内容を、予め設定された順に自動的に並べ替える、ソーティング制御手段とを備え、前記同調制御手段を介して、前記映像信号方式情報を前記同調周波数に関するデータとともに前記記憶手段に記憶するとともに、前記映像信号方式情報および対応する前記同調周波数に関するデータを、予め設定された順に自動的に並べ替えることを特徴とする。
【００２９】
本発明に係る請求項６記載の自動同調装置によれば、同調制御手段を介して、映像信号方式情報を同調周波数に関するデータとともに記憶手段に記憶するとともに、映像信号方式情報および対応する同調周波数に関するデータを、予め設定された順に自動的に並べ替えることにより、ユーザーが映像信号方式情報に対応させて、呼出番号を設定するなどの作業が不要となる。
【００３０】
本発明に係る請求項７記載の自動同調装置は、前記映像信号方式判別手段は、前記映像信号処理手段からの前記同期信号を受けて、１秒間あたりの前記同期信号のパルス数を計数し、そのパルス数に応じて前記映像信号の映像信号方式を判別する同期信号判別手段を有し、前記映像信号方式情報は、判別結果として前記同期信号判別手段から出力される同期信号判別信号である。
【００３１】
本発明に係る請求項７記載の自動同調装置によれば、映像信号方式判別手段が、同期信号判別手段を有し、映像信号方式情報を、判別結果として出力される同期信号判別信号とするので、同期信号判別手段により判別される映像信号の信号方式については、ユーザーが映像信号方式情報に対応させて、呼出番号を設定するなどの作業が不要となる。
【００３２】
本発明に係る請求項８記載の自動同調装置は、前記映像信号方式判別手段は、前記映像信号処理手段からの前記同期信号を受けて、前記同期信号の後縁部に重畳するカラーバースト信号の周波数を計数し、その周波数に応じて前記映像信号の映像信号方式を判別するカラー信号判別手段を有し、前記映像信号方式情報は、判別結果として前記カラー信号判別手段から出力されるカラー信号判別信号である。
【００３３】
本発明に係る請求項８記載の自動同調装置によれば、映像信号方式判別手段が、カラー信号判別手段を有し、映像信号方式情報を、判別結果として出力されるカラー信号判別信号とするので、カラー信号判別手段により判別される映像信号の信号方式については、ユーザーが映像信号方式情報に対応させて、呼出番号を設定するなどの作業が不要となる。
【００３４】
本発明に係る請求項９記載の自動同調装置は、前記映像信号方式判別手段は、前記映像信号処理手段からの前記同期信号を受けて、１秒間あたりの前記同期信号のパルス数を計数し、そのパルス数に応じて前記映像信号の映像信号方式を判別する同期信号判別手段と、前記映像信号処理手段からの前記同期信号を受けて、前記同期信号の後縁部に重畳するカラーバースト信号の周波数を計数し、その周波数に応じて前記映像信号の映像信号方式を判別するカラー信号判別手段とを有し、前記映像信号方式情報は、判別結果として前記同期信号判別手段および前記カラー信号判別手段から出力される同期信号判別信号およびカラー信号判別信号である。
【００３５】
本発明に係る請求項９記載の自動同調装置によれば、映像信号方式判別手段が、同期信号判別手段およびカラー信号判別手段を有し、映像信号方式情報を、同期信号判別信号およびカラー信号判別信号とするので、同期信号判別手段およびカラー信号判別手段により判別される映像信号の信号方式については、ユーザーが映像信号方式情報に対応させて、呼出番号を設定するなどの作業が不要となる。
【００３６】
本発明に係る請求項１０記載の自動同調装置は、音声信号と映像信号を含む放送電波から所定のチャネルを同調選択する同調手段と、該同調手段から出力される前記映像信号を受けて前記映像信号に含まれる同期信号を分離する映像信号処理手段と、前記同調手段からの受信信号により放送局の有無を検知するＡＦＴ検出手段と、映像信号処理手段からの前記同期信号および前記ＡＦＴ検出手段からのＡＦＴ信号を受けて、前記同調手段の同調動作を制御する同調制御手段と、該同調制御手段に接続され、少なくとも前記同調手段の同調周波数に関するデータを記憶する記憶手段とを備える自動同調装置であって、前記同調手段から出力される前記音声信号を受けて、前記音声信号の信号方式を判別するとともに、判別結果を音声信号方式情報として前記同調制御手段に与える音声信号方式判別手段と、前記記憶手段に記憶された少なくとも前記同調手段の同調周波数に関するデータを含む記憶内容を、予め設定された順に自動的に並べ替える、ソーティング制御手段とを備え、前記同調制御手段を介して、前記音声信号方式情報を前記同調周波数に関するデータとともに前記記憶手段に記憶するとともに、前記音声信号方式情報および対応する前記同調周波数に関するデータを、予め設定された順に自動的に並べ替えることを特徴とする。
【００３７】
本発明に係る請求項１０記載の自動同調装置によれば、同調制御手段を介して、音声信号方式情報を同調周波数に関するデータとともに記憶手段に記憶するとともに、音声信号方式情報および対応する同調周波数に関するデータを、予め設定された順に自動的に並べ替えることにより、ユーザーが音声信号方式情報に対応させて、呼出番号を設定するなどの作業が不要となる。
【００３８】
本発明に係る請求項１１記載の自動同調装置は、請求項１５記載の自動同調装置において、前記音声信号方式判別手段は、前記音声信号がそれぞれ並列して与えられる複数の音声復調手段と、前記複数の音声復調手段にそれぞれ接続され、前記音声信号の信号方式に対応した周波数のうち、互いに異なる１つの周波数のみを発振する電圧制御発振手段とを有し、前記音声信号方式情報は、前記音声信号に対応した周波数を発振する電圧制御発振手段の周波数の値である。
【００３９】
本発明に係る請求項１１記載の自動同調装置によれば、音声信号方式判別手段が、音声信号がそれぞれ並列して与えられる複数の音声復調手段と、複数の音声復調手段にそれぞれ接続され、音声信号の信号方式に対応した周波数のうち、互いに異なる１つの周波数のみを発振する電圧制御発振手段とを有し、音声信号方式情報を、音声信号に対応した周波数を発振する電圧制御発振手段の周波数の値とするので、音声信号方式判別に費やす時間が短い。
【００４０】
本発明に係る請求項１２記載の自動同調装置は、前記音声信号方式判別手段は、音声復調手段と、前記音声復調手段に接続され、前記音声信号の信号方式に対応した種々の周波数を発振する電圧制御発振手段と、前記音声復調手段の出力側に接続され、前記音声復調手段から前記復調済み音声信号が出力されているか否かを判別し、その結果を同調制御手段に与える音声検波手段とを有し、前記音声信号方式情報は、前記音声復調手段において前記音声信号を復調するために、前記電圧制御発振手段が発振する周波数の値である。
【００４１】
本発明に係る請求項１２記載の自動同調装置によれば、音声信号方式判別手段が、音声復調手段と、音声復調手段に接続され、音声信号の信号方式に対応した種々の周波数を発振する電圧制御発振手段と、音声復調手段の出力側に接続され、音声復調手段から前記復調済み音声信号が出力されているか否かを判別し、その結果を同調制御手段に与える音声検波手段とを有し、音声信号方式情報を、音声復調手段において音声信号を復調するために、電圧制御発振手段が発振する周波数の値するので、音声復調手段と電圧制御発振手段の必要数が少なくて済む。
【００４２】
本発明に係る請求項１３記載の自動同調装置は、前記記憶手段に接続され、前記記憶内容の並べ替え順を任意に設定する、ソート順序設定手段をさらに備えている。
【００４３】
本発明に係る請求項１３記載の自動同調装置によれば、記憶手段に接続され、記憶内容の並べ替え順を任意に設定する、ソート順序設定手段をさらに備えるので、ユーザーが任意に記憶内容の並べ替えを設定することができる。
【発明の効果】
【００４４】
本発明に係る請求項１記載の自動同調装置によれば、同期信号判別手段により判別される映像信号の信号方式、すなわち、ＰＡＬ方式およびＮＴＳＣ方式については、ユーザーが同調手段の同調モードを設定する必要がなくなるので、ユーザーに負担をかけない自動同調装置が得られる。
【００４５】
本発明に係る請求項２記載の自動同調装置によれば、カラー信号判別手段により判別される映像信号の信号方式、すなわち、ＰＡＬ方式、ＳＥＣＡＭ方式、ＳＥＣＡＭ−Ｌ方式については、ユーザーが同調手段の同調モードを設定する必要がなくなるので、ユーザーに負担をかけない自動同調装置が得られる。
【００４６】
本発明に係る請求項３記載の自動同調装置によれば、同期信号判別手段およびカラー信号判別手段により判別される映像信号の信号方式、すなわちＮＴＳＣ方式、ＰＡＬ方式、ＳＥＣＡＭ方式、ＳＥＣＡＭ−Ｌ方式については、ユーザーが同調手段の同調モードを設定する必要がなくなるので、ユーザーに負担をかけない自動同調装置が得られる。
【００４７】
本発明に係る請求項４記載の自動同調装置によれば、音声復調に費やす時間が短く、自動同調中および自動同調終了後に、放送電波を音声信号の信号方式によって判別することが可能となるので、音声信号の判別が迅速かつ、放送電波の分類がより細かくでき、種々の放送電波が混在する地域での使用に適した自動同調装置が得られる。
【００４８】
本発明に係る請求項５記載の自動同調装置によれば、音声復調手段と電圧制御発振手段の必要数が少なくて済み、自動同調中および自動同調終了後に、放送電波を音声信号の信号方式によって判別することが可能となるので、小型かつ、放送電波の分類がより細かくでき、種々の放送電波が混在する地域での使用に適した自動同調装置が得られる。
【００４９】
本発明に係る請求項６記載の自動同調装置によれば、ユーザーが映像信号方式情報に対応させて、呼出番号を設定するなどの作業が不要となるので、ユーザーに負担をかけない自動同調装置が得られる。
【００５０】
本発明に係る請求項７記載の自動同調装置によれば、同期信号判別手段により判別される映像信号の信号方式、すなわちＰＡＬ方式およびＮＴＳＣ方式については、ユーザーが映像信号方式情報に対応させて、呼出番号を設定するなどの作業が不要となるので、ユーザーに負担をかけない自動同調装置が得られる。
【００５１】
本発明に係る請求項８記載の自動同調装置によれば、カラー信号判別手段により判別される映像信号の信号方式、すなわちＰＡＬ方式、ＳＥＣＡＭ方式、ＳＥＣＡＭ−Ｌ方式については、ユーザーが信号方式情報に対応させて、呼出番号を設定するなどの作業が不要となるので、ユーザーに負担をかけない自動同調装置が得られる。
【００５２】
本発明に係る請求項９記載の自動同調装置によれば、同期信号判別手段およびカラー信号判別手段により判別される映像信号の信号方式、すなわちＮＴＳＣ方式、ＰＡＬ方式、ＳＥＣＡＭ方式、ＳＥＣＡＭ−Ｌ方式については、ユーザーが信号方式情報に対応させて、呼出番号を設定するなどの作業が不要となるので、ユーザーに負担をかけない自動同調装置が得られる。
【００５３】
本発明に係る請求項１０記載の自動同調装置によれば、ユーザーが音声信号方式情報に対応させて、呼出番号を設定するなどの作業が不要となるので、ユーザーに負担をかけない自動同調装置が得られる。
【００５４】
本発明に係る請求項１１記載の自動同調装置によれば、音声信号方式判別に費やす時間が短いので、音声信号の判別が迅速かつ、呼出番号を設定するなどの作業が不要となるので、ユーザーに負担をかけない自動同調装置が得られる。
【００５５】
本発明に係る請求項１２記載の自動同調装置によれば、音声復調手段と電圧制御発振手段の必要数が少なくて済むので、小型かつ、呼出番号を設定するなどの作業が不要となるので、ユーザーに負担をかけない自動同調装置が得られる。
【００５６】
本発明に係る請求項１３記載の自動同調装置によれば、ユーザーが任意に記憶内容の並べ替えを設定できる機能が付加されるので、ユーザーにとって自由度の大きな自動同調装置が得られる。
【発明を実施するための最良の形態】
【００５７】
＜第１の実施例＞
図１に本発明に係る第１の実施例としてＶＴＲの自動同調装置Ａ１の構成を示す。図１において、２Ａはアンテナ１に接続されたチューナー回路、３はチューナー回路２Ａからコンポジットの映像信号Ｓ１を受けて、信号処理を行うＳＹＮＣ分離回路を含む映像信号処理回路、４はチューナー回路２Ａからの受信信号を受け放送局の有無を検知するＡＦＴ検出回路、５はチューナー回路２Ａのチューニング動作を制御するチューニングコントロール回路、６はチューニングコントロール回路に接続されるメモリ回路であり、チューニングコントロール回路５とメモリ回路６を備えてシステムコントローラ７が構成されている。また、１０は映像信号Ｓ１を受け、放送局からの情報であるテレテキスト信号Ｓ５を映像信号Ｓ１から取り出し、チューニングコントロール回路５に与えるテキストデータデコーダ回路である。
【００５８】
次に、図２を用いてテキストデータデコーダ回路１０の構成について説明する。図２において、テキストデータデコーダ回路１０は、映像信号Ｓ１が与えられるブランキング検知回路１０１とブランキングゲート回路１０２、およびブランキングゲート回路１０２に接続されテレテキスト信号Ｓ５を出力するテキストデータ検出回路１０３で構成される。
【００５９】
次に動作について説明する。ブランキング検知回路１０１は、映像信号Ｓ１の同期信号近傍の映像等の実信号のない部分（垂直帰線期間）を検知し、ブランキング信号Ｓ１０１をブランキングゲート回路１０２に与える。ブランキングゲート回路１０２に与えられた映像信号Ｓ１は、ブランキング信号Ｓ１０１に応じて、同期信号近傍の映像等の実信号のない部分のみが取り出され、テキストデータ検出回路１０３与えられ、テキストデータ検出回路１０３において、その部分に含まれるテキストデータが読み出されて、テレテキスト信号Ｓ５として出力される。
【００６０】
次に図３に示すフローチャートを用いて自動同調装置Ａ１の動作について説明する。ユーザーから、オートチューニングのコマンドをシステムコントローラ７が受けると、初期設定として、チューナー回路２ＡのチューニングモードをＰＡＬ方式に設定し、メモリ６のメモリーのアドレスをステーション番号「０」に設定する（ステップＳＴ１）。
【００６１】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ（AUTOMATIC FINE TUNING：自動微同調）信号Ｓ４と、映像信号処理回路３にて分離された信号の有無を示すＳＹＮＣ信号Ｓ２とを、チューニングコントロール回路５に入力し、判別を行なう（ステップＳＴ３）。
【００６２】
この時点で、ＡＦＴ信号Ｓ４とＳＹＮＣ信号Ｓ２が共に与えられていれば、チューニングコントロール回路５は放送局からの信号を受信できたと判断し、その時のチューニングデータ（周波数に関するデータ）をメモリ６内のステーション番号「０」のアドレスに記憶する（ステップＳＴ４）。
【００６３】
また、同時にテキストデータデコーダ回路１０において、コンポジットの映像信号Ｓ１から、信号のブランキング期間に重畳されているテキスト情報をデコードし、デコードされたテレテキスト（文字放送）信号Ｓ５がチューニングコントロール回路５へ入力される（ステップＳＴ５）。
【００６４】
チューニングコントロール回路５において、テレテキスト信号Ｓ５の中の放送局情報を取り出して、周波数に関するデータと同様にメモリ６内のステーション番号「０」のアドレスに記憶する（ステップＳＴ６）。
【００６５】
続いて、次のチューニングデータを記憶するために、メモリ６のアドレスを１つインクリメントして、ステーション番号「１」として次のチューニング動作に入る（ステップＳＴ７）。
【００６６】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していればチューニングを終了するが、そうでない場合はステップＳＴ２の動作を再び行い、ステップＳＴ２〜ＳＴ７までの動作を繰り返し、チューニング周波数の上限に達するとチューニングを終了する。
【００６７】
チューニングにより得られたチューニングデータは、メモリ６内のアドレスから、選局のためのシステムに与えられ、選局のためのポジション番号が振り当てられチューニングモードが終了する。
【００６８】
本発明に係るＶＴＲの自動同調装置Ａ１は、テキストデータデコーダ回路１０を備え、システムコントローラ７のメモリ６には、周波数に関するデータと共に放送局情報も記憶されているので、オートチューニング動作時および動作終了後に、放送局情報としてのテレテキスト信号Ｓ５を利用して放送局の判別を行うことができる。
【００６９】
なお、上記自動同調装置Ａ１では、チューニングコントロール回路５において、テレテキスト信号Ｓ５の中の放送局情報を取り出す例を示したが、放送局情報以外の情報でも良く、テレテキスト信号の全てを取り出して記憶しても良い。一例として、テキストデータのエラーレートを計算して受信電界の状態を判別しても良い。
【００７０】
また、上記自動同調装置Ａ１では、オートチューニング動作時のみ周波数に関するデータおよびテレテキスト信号の記憶を行なっているが、オートチューニング終了後、現時点で受信している映像信号のテレテキスト信号をシステムコントローラ７に記憶させ、オートチューニング時のデータとの比較やデータの更新等を行なっても良い。これにより、オートチューニング後に受信電界の変化や、放送局の変化が起きた場合にも対応することができる。
【００７１】
また、上記自動同調装置Ａ１では、オートチューニング動作における放送局の有無は、ＡＦＴ信号Ｓ４とＳＹＮＣ信号Ｓ２との両方をシステムコントローラ７に入力して判断しているが、例えばテレテキスト信号Ｓ５の有無のみで判断してもよく、ＡＦＴ信号Ｓ４のみまたはＳＹＮＣ信号Ｓ２のみで判断してもよい。
【００７２】
また、受信局の中でテレテキスト信号Ｓ５を持たない放送局があった場合は、その旨をシステムコントローラ７が記憶することができる。
【００７３】
なお、上記自動同調装置Ａ１ではオートチューニング動作は周波数の低い方から高い方に周波数を上げる例を示したが、逆に高い方から低い方へ行なってもかまわない。また、ＶＨＦ、ＵＨＦ等の周波数帯（ＢＡＮＤ）が種々ある場合に、どの周波数帯からチューニングを行なってもよく、特定の周波数帯のみのチューニングでもよく、周波数帯ごとにチューニング方向が変わってもよい。
【００７４】
また、チューニングコントロール回路５から出力されるチューニングコントロール信号Ｓ３は、直流電圧あるいはＰＷＭパルス、あるいはシリアルデータなどである。
【００７５】
＜第２の実施例＞
図４に本発明に係る第２の実施例としてＶＴＲの自動同調装置Ａ２の構成を示す。図４において、第１の実施例として図１に示した自動同調装置Ａ１のテキストデータデコーダ回路１０の代わりに、受信信号のノイズ量を検知してノイズデータＳ６として出力するノイズ検出回路２０が設けられている。なお、図１に示した自動同調装置Ａ１と同一の構成については、同一の符号を付し、重複する説明は省略する。
【００７６】
次に、図５を用いてノイズ検出回路２０の構成について説明する。図５において、ノイズ検出回路２０は映像信号Ｓ１を反転して遅延させる反転遅延回路２０１と、映像信号Ｓ１と映像信号Ｓ１の反転遅延信号Ｓ２０１を受けてノイズを増幅するノイズ増幅回路２０２とで構成されている。反転遅延回路２０１は映像信号のラインに並列に設けられ、１水平走査期間（以後１Ｈと略記）分の遅延（６４μｓ）を与え、反転させて反転遅延信号Ｓ２０１として映像信号Ｓ１に与える。
【００７７】
映像信号Ｓ１は１Ｈごとに相関関係があるため、反転遅延信号Ｓ２０１が与えられると、映像信号Ｓ１自体が消滅し、ランダムノイズのみが残ることになる。このランダムノイズをノイズ増幅回路２０２で増幅することで、ノイズデータＳ６が得られる。
【００７８】
次に、図６に示すフローチャートを用いて自動同調装置Ａ２の動作について説明する。ユーザーから、オートチューニングのコマンドをシステムコントローラ７が受けると、初期設定として、チューナー回路２ＡのチューニングモードをＰＡＬ方式に設定し、メモリ６のメモリーのアドレスをステーション番号「０」に設定する（ステップＳＴ１）。
【００７９】
次にチューナー回路２Ａに対してチューニングコントロール信号Ｓ３を送り、一定量だけチューニング周波数を上げる方向へ制御する（ステップＳＴ２）。
【００８０】
この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【００８１】
この時点で、ＡＦＴ信号Ｓ４とＳＹＮＣ信号Ｓ２が共に与えられていれば、チューニングコントロール回路５は放送局からの信号を受信できたと判断し、その時のチューニングデータ（周波数に関するデータ）をメモリ６内のステーション番号「０」のアドレスに記憶する（ステップＳＴ４）。
【００８２】
また、同時にノイズ検出回路２０の出力であるノイズデータＳ６がチューニングコントロール回路５へ入力される（ステップＳＴ５）。
【００８３】
チューニングコントロール回路５において、ノイズデータＳ６を周波数に関するデータと同様にメモリ６内のステーション番号「０」のアドレスに記憶する（ステップＳＴ６）。
【００８４】
続いて、次のチューニングデータを記憶するために、メモリ６のアドレスを１つインクリメントして、ステーション番号「１」として次のチューニング動作に入る（ステップＳＴ７）。
【００８５】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していればチューニングを終了するが、そうでない場合はステップＳＴ２の動作を再び行い、ステップＳＴ２〜ＳＴ７までの動作を繰り返し、チューニング周波数の上限に達するとチューニングを終了する。
【００８６】
チューニングにより得られたチューニングデータは、メモリ６内のアドレスから、選局のためのシステムに与えられ、選局のためのポジション番号が振り当てられチューニングモードが終了する。
【００８７】
本発明に係るＶＴＲの自動同調装置Ａ２は、ノイズ検出回路２０を備え、システムコントローラ７のメモリ６には、周波数に関するデータと共に受信状況の情報としてノイズデータＳ６も記憶されているので、オートチューニング動作時および動作終了後に、受信局の受信状況を知ることができ、更に他の受信局との比較や受信電界の判別を行なうことができる。
【００８８】
なお、以上説明した自動同調装置Ａ２は、ノイズ検出回路２０において、一般的な振幅方向のノイズを増幅するノイズ増幅器２０２を備え、コンポジットの映像信号Ｓ１に対するノイズ量を検知する構成を示したが、ノイズ増幅器２０２の代わりに音声信号のノイズレベルを検知する手段や、復調前の映像信号や音声信号のノイズレベルを検知する手段や、受信電界により変化するＲＦ−ＡＧＣ（チューナー系の感度を一定とするAutomatic Gain Cntrol）のレベルを検知する手段を用いても良く、また、ＳＹＮＣ信号Ｓ２のエッジを検出して、これのＳ／Ｎ比を計算する手段や、垂直同期信号のみ検出して、これのＳ／Ｎ比を検知する手段を用いても良い。
【００８９】
また、上記自動同調装置Ａ２では、オートチューニング動作時のみ周波数に関するデータおよびノイズデータの記憶を行なっているが、オートチューニング終了後、現時点で受信している映像信号のノイズデータをシステムコントローラ７に記憶させ、オートチューニング時のデータとの比較やデータの更新等を行なっても良い。これにより、オートチューニング後に受信電界の変化や、放送局の変化が起きた場合にも対応することができる。
【００９０】
また、上記自動同調装置Ａ２ではオートチューニング動作は周波数の低い方から高い方に周波数を上げる例を示したが、逆に高い方から低い方へ行なってもかまわない。また、ＶＨＦ、ＵＨＦ等の周波数帯（ＢＡＮＤ）が種々ある場合に、どの周波数帯からチューニングを行なってもよく、特定の周波数帯のみのチューニングでもよく、周波数帯ごとにチューニング方向が変わってもよい。
【００９１】
また、チューニングコントロール回路５から出力されるチューニングコントロール信号Ｓ３は、直流電圧あるいはＰＷＭパルス、あるいはシリアルデータなどである。
【００９２】
＜第３の実施例＞
図７に本発明に係る第３の実施例としてＶＴＲの自動同調装置Ａ３の構成を示す。図７において、第１の実施例として図１に示した自動同調装置Ａ１のテキストデータデコーダ回路１０の代わりに、映像品位検出回路３０が設けられている。なお、図１に示した自動同調装置Ａ１と同一の構成については、同一の符号を付し、重複する説明は省略する。
【００９３】
ここで、映像品位検出回路３０について説明する。図８は映像品位検出回路３０の構成を示すブロック図である。図８において３０１はチューナー回路２Ａから出力される映像信号Ｓ１の中の実信号のないブランキング部分を検知するブランキング検知回路であり、３０２はブランキング検出回路３０１により検知されたブランキング信号Ｓ３０１に応じて、映像信号Ｓ１に対してブランキング部分を通過させるブランキングゲート回路であり、３０３はブランキング部分のみのノイズ成分を検波するノイズ検波回路である。ノイズ検波回路３０３は、映像信号Ｓ１の実信号のないブランキング部分のノイズ量に比例した映像品位データＳ７を出力する。
【００９４】
次にその動作について説明する。まず、ブランキング検出回路３０１は、得られた映像信号Ｓ１に対して、ブランキング部分の検知を行ない、その部分に対応させてブランキング信号Ｓ３０１を出力する。さらに映像信号Ｓ１は、ブランキング信号Ｓ３０１に応じてゲートを開閉し、ブランキング部分のみを通過させるブランキングゲート回路３０２によって、ブランキング部分のみが取り出されて、ノイズ検波回路３０３により、ブランキング部分のみのノイズ検波が行なわれる。このように、映像信号Ｓ１のブランキング部分のみのノイズ検波出力を、受信信号の映像品位データＳ７とすることにより、単純なノイズ検知の他に妨害信号等の有無も検知でき、またゴースト等の判定が可能となり、受信信号の品位を正確に判別することができる。
【００９５】
次に図９に示すフローチャートを用いて自動同調装置Ａ３の動作について説明する。ユーザーから、オートチューニングのコマンドをシステムコントローラ７が受けると、初期設定として、チューナー回路２ＡのチューニングモードをＰＡＬ方式に設定し、メモリ６のメモリーのアドレスをステーション番号「０」に設定する（ステップＳＴ１）。
【００９６】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【００９７】
この時点で、ＡＦＴ信号Ｓ４とＳＹＮＣ信号Ｓ２が共に与えられていれば、チューニングコントロール回路５は放送局からの信号を受信できたと判断し、その時のチューニングデータ（周波数に関するデータ）をメモリ６内のステーション番号「０」のアドレスに記憶する（ステップＳＴ４）。
【００９８】
また、同時に、映像品位検出回路３０において、この時点で受信されているコンポジットの映像信号Ｓ１の映像品位を検知して、映像品位データＳ７として出力し、チューニングコントロール回路５に与える（ステップＳＴ５）。
【００９９】
この映像品位データＳ７を、周波数に関するデータと同様にメモリ６内のステーション番号「０」のアドレスに記憶する（ステップＳＴ６）。
【０１００】
続いて、次のチューニングデータを記憶するために、メモリ６のアドレスを１つインクリメントして、ステーション番号「１」として次のチューニング動作に入る（ステップＳＴ７）。
【０１０１】
一方、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していればチューニングを終了するが、そうでない場合はステップＳＴ２の動作を再び行う。
【０１０２】
ステップＳＴ２〜ＳＴ７までの動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１０３】
本発明に係るＶＴＲの自動同調装置Ａ３は、映像品位検出回路３０を備え、システムコントローラ７のメモリ６には、周波数に関するデータと共に受信状況の情報として映像品位データＳ７も記憶されているので、オートチューニング動作時および動作終了後に、受信局の受信状況を知ることができ、更に他の受信局との比較や受信電界の判別を行なうことができる。
【０１０４】
なお、以上説明した自動同調装置Ａ３は、映像品位検出回路３０において、ノイズ検波回路３０３を用いて映像信号Ｓ１のブランキング部分のみのノイズ成分を検波する例を示したが、チューナー回路から出力される映像中間周波信号（Video Intermediate Freqency：以後ＶＩＦ信号と呼称）を検知する手段を用いても良く、あるいはＲＦ−ＡＧＣのレベルにて検知する手段を用いてもよい。
【０１０５】
また、上記自動同調装置Ａ３では、オートチューニング動作時のみ周波数に関するデータおよび映像品位データの記憶を行なっているが、オートチューニング終了後、現時点で受信している映像信号の映像品位データをシステムコントローラ７に記憶させ、オートチューニング時のデータとの比較やデータの更新等を行なっても良い。これにより、オートチューニング後に受信電界の変化や、放送局の変化が起きた場合にも対応することができる。
【０１０６】
なお、上記自動同調装置Ａ３ではオートチューニング動作は周波数の低い方から高い方に周波数を上げる例を示したが、逆に高い方から低い方へ行なってもかまわない。また、ＶＨＦ、ＵＨＦ等の周波数帯（ＢＡＮＤ）が種々ある場合に、どの周波数帯からチューニングを行なってもよく、特定の周波数帯のみのチューニングでもよく、周波数帯ごとにチューニング方向が変わってもよい。
【０１０７】
また、チューニングコントロール回路５から出力されるチューニングコントロール信号Ｓ３は、直流電圧あるいはＰＷＭパルス、あるいはシリアルデータなどである。
【０１０８】
＜第４の実施例＞
図１０に本発明に係る第４の実施例としてＶＴＲの自動同調装置Ａ４の構成を示す。図１０において、画面上に文字などを表示させるため、映像信号Ｓ１に対してデータを重畳させるキャラクタゼネレータ回路（以後、ＣＧ回路と呼称）４０が映像信号処理回路３に接続され、ＣＧ回路４０の出力は映像信号出力端子９に与えられる。その他の構成は第１の実施例として図１に示した自動同調装置Ａ１と同様であり、自動同調装置Ａ１と同一の構成については、同一の符号を付し、重複する説明は省略する。
【０１０９】
次に自動同調装置Ａ４の動作について説明する。ユーザーから、オートチューニングのコマンドを受けると、図３に示すフローチャートに従って自動同調装置Ａ１と同様のチューニング動作を行うと共に、テキストデータデコーダ回路１０を用いて、受信された放送局信号から、テレテキスト信号Ｓ５を取り出し、システムコントローラ７のメモリ６に、周波数に関するデータと共に放送局情報を記憶する。
【０１１０】
そして、オートチューニング完了後に、再び周波数に関するデータと共に、メモリ６から放送局情報を読み出した時に、ＣＧ回路４０を通して映像信号にその放送局情報を重畳して受像画面に表示させる。
【０１１１】
ＣＧ回路４０は、ＲＯＭで構成される回路であり、所定のドットのマトリクスからなる文字および記号などが記憶されている。その構成は一般的であり、周知であるので、詳細な説明は省略する。
【０１１２】
図１１に、受像画面ＳＣに放送局情報を表示する一例を示す。図１１において、受像画面ＳＣに現在受信中の放送局の名称が「ＢＢＣ１」として示されている。これにより、ユーザーが受信された放送局情報を知ることができる。
【０１１３】
なお、本実施例では、オートチューニング完了後、放送局情報を受像画面に出力しているが、オートチューニング時に表示させてもよい。また、受像画面に出力させなくても、たとえば受像画面外の部分に蛍光表示管や発光ダイオード、液晶表示等を設け、それらを用いて放送局情報を表示させてもよい。
【０１１４】
また、図１０に示した自動同調装置Ａ４では、テキストデータデコーダ回路１０を用いて放送局信号から、テレテキスト信号Ｓ５を取り出しているため、画面表示内容が放送局情報となっているが、テキストデータデコーダ回路１０の代わりに、例えば第２の実施例において説明した受信信号のノイズ量を検知するノイズ検出回路２０を設けることで、その出力であるノイズデータＳ６が周波数に関するデータと共にメモリ６に記憶されることになり、必要に応じてメモリ６からノイズデータ１０６を読み出し、受像画面に表示することができる。
【０１１５】
図１２に、受像画面ＳＣにノイズデータを表示する一例を示す。図１２において、受像画面ＳＣに受信信号のノイズレベルが数値およびグラフで示されている。これにより、ユーザーが受信信号のノイズレベルを知ることができる。
【０１１６】
また、テキストデータデコーダ回路１０の代わりに、例えば第３の実施例において説明した受信信号のノイズ量を検知する映像品位検出回路３０を設けることで、その出力である映像品位データＳ７が周波数に関するデータと共にメモリ６に記憶されることになり、必要に応じてメモリ６から映像品位データＳ７を読み出し、受像画面に表示することができる。
【０１１７】
図１３に、受像画面ＳＣに映像品位データを表示する一例を示す。図１３において、受像画面ＳＣに受信信号の映像品位が数値およびグラフで示されている。これにより、ユーザーが映像信号の映像品位（CLEAR LEVEL）を知ることができ、例えばこの映像品位データの画面表示を参考にしながら、室内／室外の空中線の最適方向を知ることができる。
【０１１８】
＜第５の実施例＞
図１４に本発明に係る第５の実施例としてＶＴＲの自動同調装置Ａ５の構成を示す。図１４において、２はアンテナ１に接続され、外部からの制御信号により入力信号方式に対応した切替えが可能なチューナー回路、３はチューナー回路２からコンポジットの映像信号Ｓ１を受けて、信号処理を行うＳＹＮＣ分離回路を含む映像信号処理回路、４はチューナー回路２からの受信信号を受け放送局の有無を検知するＡＦＴ検出回路、５はチューナー回路２のチューニング動作を制御するチューニングコントロール回路、６はチューニングコントロール回路に接続されるメモリであり、１１は映像信号処理回路３の出力であるＳＹＮＣ信号Ｓ２を受け、ＳＹＮＣ信号の数により映像信号方式がＮＴＳＣ方式かその他の方式かを判別するＳＹＮＣ判別回路、１２はＳＹＮＣ判別回路１１の出力であるモード切換回路第１制御信号Ｓ９を受け、チューナー回路２に対してモード切換え信号Ｓ１１を出力してチューニングモードの切換えを行うチューニングモード切換回路であり、チューニングコントロール回路５、メモリ６、ＳＹＮＣ判別回路１１、チューニングモード切換回路１２を備えてシステムコントローラ７Ａが構成されている。また、映像信号処理回路３の出力の１つである、カラーバースト信号（アイデント信号）Ｓ８を受け、映像信号方式がＰＡＬ方式かＳＥＣＡＭ方式かを判別し、その結果をモード切換回路第２制御信号Ｓ１０としてチューニングモード切換回路１２に与えるカラー判別回路１３が設けられている。
【０１１９】
ここで、ＳＹＮＣ判別回路１１はマイクロコンピュータなどにより１秒間当たりのＳＹＮＣの数（パルス数）を計数する構成を有し、１秒間に６０のＳＹＮＣが計数された場合（６０Ｈｚ）はＮＴＳＣ方式、１秒間に５０のＳＹＮＣが計数された場合（５０Ｈｚ）はＳＥＣＡＭ方式あるいはＰＡＬ方式であると判別する。
【０１２０】
次に、カラー判別回路１３について説明する。図１５はカラー判別回路１３の構成を示すブロック図である。図１５において、カラー判別回路１３は１Ｈごとにカラーバースト信号Ｓ８を通過させるバーストゲート回路１３１と、バーストゲート回路１３１に接続され、４．４３ＭＨｚの周波数のカラーバースト信号Ｓ８のみを抜き取る周波数フィルタ１３２と、周波数フィルタ１３２を通過した信号をＤＣ変換するＤＣ変換回路１３３と、ＤＣ変換回路１３３から出力されたままのＤＣ信号、および遅延回路１３４を介してＤＣ変換回路１３３の出力を１Ｈ遅らせたＤＣ信号とを比較する比較器１３５とを備えて構成される。
【０１２１】
次に、動作について説明する。図１５に示すように、一般的にＳＥＣＡＭ方式およびＰＡＬ方式ともにＳＹＮＣ信号Ｓ２の後にカラーバースト信号（ＳＥＣＡＭ方式ではアイデント信号）Ｓ８が存在し、その周波数はＰＡＬ方式の場合は全て４．４３ＭＨｚであるのに対し、ＳＥＣＡＭ方式の場合は１Ｈごとに４．２５ＭＨｚと４．４１ＭＨｚの信号が交互に現れる。従って、バーストゲート回路１３１と周波数フィルタ１３２を用いて、１Ｈごとのカラーバースト信号Ｓ８の周波数をフィルターで抜き取り、ＤＣ変換回路１３３によりＤＣ値に変換し、比較器１３５により１ＨごとのＤＣレベルを比較することで、１ＨごとのＤＣレベルが同じであればＰＡＬ方式、１ＨごとのＤＣレベルが異なればＳＥＣＡＭ方式であると判別する。
【０１２２】
次に図１６および図１７に示すフローチャートを用いて自動同調装置Ａ５の動作について説明する。ユーザーから、オートチューニングのコマンドをシステムコントローラ７Ａが受けると、初期設定として、チューナー回路２のチューニングモードをＰＡＬ方式に設定し、メモリ６のメモリーのアドレスをステーション番号「０」に設定する（ステップＳＴ１）。
【０１２３】
次にチューナー回路２に対してチューニングコントロール信号Ｓ３を送り、一定量だけチューニング周波数を上げる方向へ制御する（ステップＳＴ２）。
【０１２４】
このとき現在の周波数がチューニング周波数の上限に達しているか、すなわちチューニングが終了したか否かの判別を行い（ステップＳＴ３）、現在の周波数がチューニング周波数の上限に達していればチューニングを終了するが、そうでない場合は、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力する（ステップＳＴ４）。
【０１２５】
この時点で、ＡＦＴ信号Ｓ４とＳＹＮＣ信号Ｓ２が共に与えられていれば、チューニングコントロール回路５は放送局からの信号を受信できたと判断し、次のステップＳＴ５を実行するが、ＡＦＴ信号Ｓ４とＳＹＮＣ信号Ｓ２が共に与えられていない場合にはステップＳＴ２において一定量だけチューニング周波数を上げる。
【０１２６】
ステップＳＴ５において、映像信号処理回路３からのＳＹＮＣ信号Ｓ２を、システムコントローラ７Ａ内のＳＹＮＣ判別回路１１に送り、ＳＹＮＣ判別回路１１はＳＹＮＣ信号Ｓ２が６０Ｈｚで与えられるときは、モード切換回路第１制御信号Ｓ９を出力してチューニングモード切換回路１２に与え、モード切換信号Ｓ１１によりチューナー回路２をＮＴＳＣモードに変更する（ステップＳＴ６）。またＳＹＮＣ信号Ｓ２が５０Ｈｚで与えられるときは、ＮＴＳＣ方式以外であると判別する。
【０１２７】
チューナー回路２がＮＴＳＣモードにセットされると、その時のチューニングデータ（周波数に関するデータ）をメモリ６のステーション番号「０」のアドレスに記憶させると共に、現在の映像信号方式がＮＴＳＣ方式であるという情報も記憶させ、次のチューニングデータを記憶するために、メモリ６のアドレスを１つインクリメントして、ステーション番号「１」とする（ステップＳＴ７）。
【０１２８】
次にステップＳＴ８において、チューナー回路２のチューニングモードをＰＡＬ方式に設定し、ステップＳＴ２において一定量だけチューニング周波数を上げて次のチューニング動作に入り、ステップＳＴ２〜ＳＴ８の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１２９】
ステップＳＴ５においてＮＴＳＣ方式以外であると判別された場合には、映像信号処理回路３からのカラーバースト信号Ｓ８を受けたカラー判別回路１３がカラー判別を行い、ＳＥＣＡＭ方式とそれ以外の方式とに判別する（ステップＳＴ９）。ここで、ＳＥＣＡＭ−Ｌ方式の場合は、映像信号Ｓ１がＰＡＬモードでチューニングされているのでハンチングしており、カラーバースト信号Ｓ８の周波数変化が正確に判別できないので、ＳＥＣＡＭ方式以外の方式とされる。
【０１３０】
ステップＳＴ９においてＳＥＣＡＭ方式であると判別された場合は、チューニングモードをＰＡＬモードに保った状態で、その時のチューニングデータ（周波数に関するデータ）をメモリ６のステーション番号「０」のアドレスに記憶させると共に、現在の映像信号方式がＳＥＣＡＭ方式であるという情報も記憶させ、次のチューニングデータを記憶するために、メモリ６のアドレスを１つインクリメントして、ステーション番号「１」とする（ステップＳＴ７）。なお、ＳＥＣＡＭ方式の場合はＰＡＬモードでチューニング可能である。
【０１３１】
ここでチューナー回路２のチューニングモードはＰＡＬモードであるので、ステップＳＴ８において、再設定する必要はなく、次にステップＳＴ２において一定量だけチューニング周波数を上げて次のチューニング動作に入り、ステップＳＴ２〜ＳＴ５、ＳＴ９、ＳＴ７の動作を繰り返し、チューニング周波数の上限に達するとチューニングを終了する。
【０１３２】
一方、ステップＳＴ９においてＳＥＣＡＭ方式以外であると判別された場合は、映像信号処理回路３からのカラーバースト信号Ｓ８を受けたカラー判別回路１３が再びカラー判別を行い、ＳＥＣＡＭ方式とそれ以外の方式とに判別する（ステップＳＴ１０）。このステップＳＴ１０における判別は、カラーバースト信号Ｓ８が４．４３ＭＨｚである場合はＰＡＬ方式、そうでない場合はＰＡＬ方式以外の方式として判別する。
【０１３３】
ステップＳＴ１０においてＰＡＬ方式であると判別されると、チューナー回路２はＰＡＬモードに保った状態で、その時のチューニングデータ（周波数に関するデータ）をメモリ６のステーション番号「０」のアドレスに記憶させると共に、現在の映像信号方式がＰＡＬ方式であるという情報も記憶させ、次のチューニングデータを記憶するために、メモリ６のアドレスを１つインクリメントして、ステーション番号「１」とする（ステップＳＴ７）。
【０１３４】
ここでチューナー回路２のチューニングモードはＰＡＬモードであるので、ステップＳＴ８において、再設定する必要はなく、次にステップＳＴ２において一定量だけチューニング周波数を上げて次のチューニング動作に入り、ステップＳＴ２〜ＳＴ５、ＳＴ９、ＳＴ１０、ＳＴ７の動作を繰り返し、チューニング周波数の上限に達するとチューニングを終了する。
【０１３５】
一方、ステップＳＴ１０においてＰＡＬ方式以外であると判別されると、カラー判別回路１３はモード切換回路第２制御信号Ｓ１０を出力してチューニングモード切換回路１２に与え、モード切換信号Ｓ１１によりチューナー回路２をＳＥＣＡＭ−Ｌモードに変更する（ステップＳＴ１１）。
【０１３６】
次に、ステップＳＴ１２において映像信号処理回路３からのカラーバースト信号Ｓ８を受けたカラー判別回路１３がカラー判別を行い、ＳＥＣＡＭ方式とそれ以外の方式とに再度判別する。
【０１３７】
ステップＳＴ１２においてＳＥＣＡＭ方式と判別した場合、チューニングモードをＳＥＣＡＭ−Ｌモードに保った状態で、その時のチューニングデータ（周波数に関するデータ）をメモリ６のステーション番号「０」のアドレスに記憶させると共に、現在の映像信号方式がＳＥＣＡＭ方式であるという情報も記憶させ、次のチューニングデータを記憶するために、メモリ６のアドレスを１つインクリメントして、ステーション番号「１」とする（ステップＳＴ７）。
【０１３８】
次にステップＳＴ８において、チューナー回路２のチューニングモードをＰＡＬ方式に設定し、ステップＳＴ２において一定量だけチューニング周波数を上げて次のチューニング動作に入り、ステップＳＴ２〜ＳＴ５、ＳＴ９、ＳＴ１０、ＳＴ１１、ＳＴ１２、ＳＴ７、ＳＴ８の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１３９】
一方、ステップＳＴ１２においてＳＥＣＡＭ方式以外の方式であると判別した場合、チューニングモードをＳＥＣＡＭ−Ｌモードに保ち（ステップＳＴ１３）、その時のチューニングデータ（周波数に関するデータ）をメモリ６のステーション番号「０」のアドレスに記憶させると共に、現在の映像信号方式が判別不可のその他の方式であるという情報も記憶させ、次のチューニングデータを記憶するために、メモリ６のアドレスを１つインクリメントして、ステーション番号「１」とする（ステップＳＴ７）。
【０１４０】
次にステップＳＴ８において、チューナー回路２のチューニングモードをＰＡＬ方式に設定し、ステップＳＴ２において一定量だけチューニング周波数を上げて次のチューニング動作に入り、ステップＳＴ２〜ＳＴ５、ＳＴ９、ＳＴ１０、ＳＴ１１ＳＴ１２、ＳＴ７、ＳＴ８の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１４１】
ここで、ステップＳＴ１２以後の動作は、ゴースト信号などの判別不可能な信号を受けた場合にもチューニング動作を停止させないためのシステムであり、判別不可能な信号を記憶させることで、チューニング後ユーザーが任意で映像信号方式を指定することが可能となる。また、信号電界が弱く、カラー判別回路１３が映像信号方式を判別できない場合にも有効である。
【０１４２】
以上説明したように、図１４に示した自動同調装置Ａ５によれば、ＳＹＮＣ判別回路１１およびカラー判別回路１３を備えることにより、受信信号がＰＡＬ方式、ＳＥＣＡＭ方式、ＳＥＣＡＭ−Ｌ方式、ＮＴＳＣ方式のいずれの映像信号方式であるかを判別し、自動的にチューナー回路２のチューニングモードを切換えることができるので、ユーザーが自ら映像信号方式に合わせて切り換え操作を行う必要がなくなる。
【０１４３】
また、ゴースト信号などの判別不可能な信号を受けた場合や、信号電界が弱く、カラー判別回路１３が映像信号方式を判別できない場合にもチューニング動作が停止することのない自動同調装置が得られる。
【０１４４】
また、メモリ６に記憶された映像信号方式のデータは、オートチューニング時およびオートチューニング終了後、必要に応じてメモリ６から読み出して、例えばクロマ回路やチューナー回路の切替えやチャンネルポジションの並び換えなどに利用してもよい。
【０１４５】
なお、上記自動同調装置Ａ５ではオートチューニング動作は周波数の低い方から高い方に周波数を上げる例を示したが、逆に高い方から低い方へ行なってもかまわない。また、ＶＨＦ、ＵＨＦ等の周波数帯（ＢＡＮＤ）が種々ある場合に、どの周波数帯からチューニングを行なってもよく、特定の周波数帯のみのチューニングでもよく、周波数帯ごとにチューニング方向が変わってもよい。
【０１４６】
＜第６の実施例＞
図１８に本発明に係る第６の実施例としてＶＴＲの自動同調装置Ａ６の構成を示す。図１８において、図１４を用いて説明した自動同調装置Ａ５と同一の構成については同一の符号を付し、重複する説明は省略する。
【０１４７】
図１８からわかるように、自動同調装置Ａ６は自動同調装置Ａ５からカラー判別回路１３を除去した構成となっている。従って、自動同調装置Ａ６は受信信号がＰＡＬ方式、ＮＴＳＣ方式のいずれの映像信号方式であるかを判別する機能を有した装置となっている。
【０１４８】
以下、図１９に示すフローチャートを用いて自動同調装置Ａ６の動作について説明する。ユーザーから、オートチューニングのコマンドをシステムコントローラ７Ａが受けると、初期設定として、チューナー回路２のチューニングモードをＰＡＬ方式に設定し、メモリ６のメモリーのアドレスをステーション番号「０」に設定する（ステップＳＴ１）。
【０１４９】
次にチューナー回路２に対してチューニングコントロール信号Ｓ３を送り、一定量だけチューニング周波数を上げる方向へ制御する（ステップＳＴ２）。
【０１５０】
このとき現在の周波数がチューニング周波数の上限に達しているか、すなわちチューニングが終了したか否かの判別を行い（ステップＳＴ３）、現在の周波数がチューニング周波数の上限に達していればチューニングを終了するが、そうでない場合は、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力する（ステップＳＴ４）。
【０１５１】
この時点で、ＡＦＴ信号Ｓ４とＳＹＮＣ信号Ｓ２が共に与えられていれば、チューニングコントロール回路５は放送局からの信号を受信できたと判断し、次のステップＳＴ５を実行するが、ＡＦＴ信号Ｓ４とＳＹＮＣ信号Ｓ２が共に与えられていない場合にはステップＳＴ２において一定量だけチューニング周波数を上げる。
【０１５２】
ステップＳＴ５において、映像信号処理回路３からのＳＹＮＣ信号Ｓ２を、システムコントローラ７Ａ内のＳＹＮＣ判別回路１１に送り、ＳＹＮＣ判別回路１１はＳＹＮＣ信号Ｓ２が６０Ｈｚで与えられるときは、モード切換回路第１制御信号Ｓ９を出力してチューニングモード切換回路１２に与え、モード切換信号Ｓ１１によりチューナー回路２をＮＴＳＣモードに変更する（ステップＳＴ６）。またＳＹＮＣ信号Ｓ２が５０Ｈｚで与えられるときは、ＮＴＳＣ方式以外であると判別する。
【０１５３】
チューナー回路２がＮＴＳＣモードにセットされると、その時のチューニングデータ（周波数に関するデータ）をメモリ６のステーション番号「０」のアドレスに記憶させると共に、現在の映像信号方式がＮＴＳＣ方式であるという情報も記憶させ、次のチューニングデータを記憶するために、メモリ６のアドレスを１つインクリメントして、ステーション番号「１」とする（ステップＳＴ７）。
【０１５４】
次に、ステップＳＴ２において一定量だけチューニング周波数を上げて次のチューニング動作に入り、ステップＳＴ２〜ＳＴ７の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１５５】
ステップＳＴ５においてＮＴＳＣ方式以外であると判別された場合には、モード切換回路第１制御信号Ｓ９を出力してチューニングモード切換回路１２に与え、モード切換信号Ｓ１１によりチューナー回路２をＰＡＬモードに変更する。（ステップＳＴ６）。なお、初期設定として、チューナー回路２のチューニングモードがＰＡＬモードに設定されているので、チューニングモードがＮＴＳＣモードに変更されていない場合は、このステップＳＴ６は必要ない。
【０１５６】
チューナー回路２がＰＡＬモードにセットされると、その時のチューニングデータ（周波数に関するデータ）をメモリ６のステーション番号「０」のアドレスに記憶させると共に、現在の映像信号方式がＰＡＬ方式であるという情報も記憶させ、次のチューニングデータを記憶するために、メモリ６のアドレスを１つインクリメントして、ステーション番号「１」とする（ステップＳＴ７）。
【０１５７】
次に、ステップＳＴ２において一定量だけチューニング周波数を上げて次のチューニング動作に入り、ステップＳＴ２〜ＳＴ７の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１５８】
以上説明したように、図１８に示した自動同調装置Ａ６によれば、ＳＹＮＣ判別回路１１を備えることにより、受信信号がＰＡＬ方式、ＮＴＳＣ方式のいずれの映像信号方式であるかを判別し、自動的にチューナー回路２のチューニングモードを切換えることができるので、ユーザーが自ら映像信号方式に合わせて切り換え操作を行う必要がなくなる。
【０１５９】
なお、その他の機能については自動同調装置Ａ５と同様であるので重複する説明は省略する。
【０１６０】
＜第７の実施例＞
図２０に本発明に係る第７の実施例としてＶＴＲの自動同調装置Ａ７の構成を示す。図２０において、図１４を用いて説明した自動同調装置Ａ５のシステムコントローラ７Ａの代わりに、チューニングコントロール回路５、メモリ回路６、チューニングモード切換回路１２を備えたシステムコントローラ７Ｂが設けられている。その他、自動同調装置Ａ５と同一の構成については同一の符号を付し、重複する説明は省略する。
【０１６１】
図２０からわかるように、自動同調装置Ａ７は自動同調装置Ａ５からＳＹＮＣ判別回路１１を除去した構成となっている。従って、自動同調装置Ａ７は受信信号がＰＡＬ方式、ＳＥＣＡＭ方式、ＳＥＣＡＭ−Ｌ方式のいずれの映像信号方式であるかを判別する機能を有した装置となっている。
【０１６２】
以下、図２１に示すフローチャートを用いて自動同調装置Ａ７の動作について説明する。ユーザーから、オートチューニングのコマンドをシステムコントローラ７Ａが受けると、初期設定として、チューナー回路２のチューニングモードをＰＡＬ方式に設定し、メモリ６のメモリーのアドレスをステーション番号「０」に設定する（ステップＳＴ１）。
【０１６３】
次にチューナー回路２に対してチューニングコントロール信号Ｓ３を送り、一定量だけチューニング周波数を上げる方向へ制御する（ステップＳＴ２）。
【０１６４】
このとき現在の周波数がチューニング周波数の上限に達しているか、すなわちチューニングが終了したか否かの判別を行い（ステップＳＴ３）、現在の周波数がチューニング周波数の上限に達していればチューニングを終了するが、そうでない場合は、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力する（ステップＳＴ４）。
【０１６５】
この時点で、ＡＦＴ信号Ｓ４とＳＹＮＣ信号Ｓ２が共に与えられていれば、チューニングコントロール回路５は放送局からの信号を受信できたと判断し、次のステップＳＴ５を実行するが、ＡＦＴ信号Ｓ４とＳＹＮＣ信号Ｓ２が共に与えられていない場合にはステップＳＴ２において一定量だけチューニング周波数を上げる。
【０１６６】
ステップＳＴ５において、映像信号処理回路３からのカラーバースト信号Ｓ８を受けたカラー判別回路１３がカラー判別を行い、ＳＥＣＡＭ方式とそれ以外の方式とに判別する。ここで、ＥＣＡＭ−Ｌ方式の場合は、映像信号Ｓ１がＰＡＬモードでチューニングされているのでハンチングしており、カラーバースト信号Ｓ８の周波数変化が正確に判別できないので、ＳＥＣＡＭ方式以外の方式とされる。
【０１６７】
ステップＳＴ５においてＳＥＣＡＭ方式であると判別された場合は、チューニングモードをＰＡＬモードに保った状態で、その時のチューニングデータ（周波数に関するデータ）をメモリ６のステーション番号「０」のアドレスに記憶させると共に、現在の映像信号方式がＳＥＣＡＭ方式であるという情報も記憶させ、次のチューニングデータを記憶するために、メモリ６のアドレスを１つインクリメントして、ステーション番号「１」とする（ステップＳＴ６）。なお、ＳＥＣＡＭ方式の場合はＰＡＬモードでチューニング可能である。
【０１６８】
ここでチューナー回路２のチューニングモードはＰＡＬモードであるので、ステップＳＴ７において、再設定する必要はなく、次にステップＳＴ２において一定量だけチューニング周波数を上げて次のチューニング動作に入り、ステップＳＴ２〜ＳＴ７の動作を繰り返し、チューニング周波数の上限に達するとチューニングを終了する。
【０１６９】
一方、ステップＳＴ５においてＳＥＣＡＭ方式以外であると判別された場合は、映像信号処理回路３からのカラーバースト信号Ｓ８を受けたカラー判別回路１３が再びカラー判別を行い、ＰＡＬ方式とそれ以外の方式とに判別する（ステップＳＴ８）。このステップＳＴ８における判別は、カラーバースト信号Ｓ８が４．４３ＭＨｚである場合はＰＡＬ方式、そうでない場合はＰＡＬ方式以外の方式として判別する。
【０１７０】
ステップＳＴ８においてＰＡＬ方式であると判別されると、チューナー回路２はＰＡＬモードに保った状態で、その時のチューニングデータ（周波数に関するデータ）をメモリ６のステーション番号「０」のアドレスに記憶させると共に、現在の映像信号方式がＰＡＬ方式であるという情報も記憶させ、次のチューニングデータを記憶するために、メモリ６のアドレスを１つインクリメントして、ステーション番号「１」とする（ステップＳＴ６）。
【０１７１】
ここでチューナー回路２のチューニングモードはＰＡＬモードであるので、ステップＳＴ７において、再設定する必要はなく、次にステップＳＴ２において一定量だけチューニング周波数を上げて次のチューニング動作に入り、ステップＳＴ２〜ＳＴ５、ＳＴ８、ＳＴ６、ＳＴ７の動作を繰り返し、チューニング周波数の上限に達するとチューニングを終了する。
【０１７２】
一方、ステップＳＴ８においてＰＡＬ方式以外であると判別されると、カラー判別回路１３はモード切換回路第２制御信号Ｓ１０を出力してチューニングモード切換回路１２に与え、モード切換信号Ｓ１１によりチューナー回路２をＳＥＣＡＭ−Ｌモードに変更する（ステップＳＴ９）。
【０１７３】
次に、ステップＳＴ１０において映像信号処理回路３からのカラーバースト信号Ｓ８を受けたカラー判別回路１３がカラー判別を行い、ＳＥＣＡＭ方式とそれ以外の方式とに再度判別する。
【０１７４】
ステップＳＴ１０においてＳＥＣＡＭ方式と判別した場合、チューニングモードをＳＥＣＡＭ−Ｌモードに保った状態で、その時のチューニングデータ（周波数に関するデータ）をメモリ６のステーション番号「０」のアドレスに記憶させると共に、現在の映像信号方式がＳＥＣＡＭ方式であるという情報も記憶させ、次のチューニングデータを記憶するために、メモリ６のアドレスを１つインクリメントして、ステーション番号「１」とする（ステップＳＴ６）。
【０１７５】
次にステップＳＴ７において、チューナー回路２のチューニングモードをＰＡＬ方式に設定し、ステップＳＴ２において一定量だけチューニング周波数を上げて次のチューニング動作に入り、ステップＳＴ２〜ＳＴ５、ＳＴ８、ＳＴ９、ＳＴ１０、ＳＴ６、ＳＴ７の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１７６】
一方、ステップＳＴ１０においてＳＥＣＡＭ方式以外の方式であると判別した場合、チューニングモードをＳＥＣＡＭ−Ｌモードに保ち（ステップＳＴ１１）、その時のチューニングデータ（周波数に関するデータ）をメモリ６のステーション番号「０」のアドレスに記憶させると共に、現在の映像信号方式が判別不可のその他の方式であるという情報も記憶させ、次のチューニングデータを記憶するために、メモリ６のアドレスを１つインクリメントして、ステーション番号「１」とする（ステップＳＴ６）。
【０１７７】
次にステップＳＴ７において、チューナー回路２のチューニングモードをＰＡＬ方式に設定し、ステップＳＴ２において一定量だけチューニング周波数を上げて次のチューニング動作に入り、ステップＳＴ２〜ＳＴ５、ＳＴ８、ＳＴ９、ＳＴ１０、ＳＴ６、ＳＴ７の動作を繰り返し、チューニング周波数の上限に達するとチューニングを終了する。チューニングにより得られたチューニングデータは、メモリ６内のアドレスから、選局のためのシステムに与えられ、選局のためのポジション番号が振り当てられチューニングモードが終了する。
【０１７８】
ここで、ステップＳＴ１０以後の動作は、ゴースト信号などの判別不可能な信号を受けた場合にもチューニング動作を停止させないためのシステムであり、判別不可能な信号を記憶させることで、チューニング後ユーザーが任意で映像信号方式を指定することが可能となる。また、信号電界が弱く、カラー判別回路１３が映像信号方式を判別できない場合にも有効である。
【０１７９】
以上説明したように、図２０に示した自動同調装置Ａ７によれば、カラー判別回路１３を備えることにより、受信信号がＰＡＬ方式、ＳＥＣＡＭ方式、ＳＥＣＡＭ−Ｌ方式のいずれの映像信号方式であるかを判別し、自動的にチューナー回路２のチューニングモードを切換えることができるので、ユーザーが自ら映像信号方式に合わせて切り換え操作を行う必要がなくなる。
【０１８０】
また、ゴースト信号などの判別不可能な信号を受けた場合や、信号電界が弱く、カラー判別回路１３が映像信号方式を判別できない場合にもチューニング動作が停止することのない自動同調装置が得られる。
【０１８１】
なお、その他の機能については自動同調装置Ａ５と同様であるので重複する説明は省略する。
【０１８２】
＜変形例＞
以上説明した本発明に係る第５〜第７の実施例である自動同調装置Ａ５〜Ａ７には、本発明に係る第１〜第４の実施例である自動同調装置Ａ１〜Ａ４の構成を付加して、放送局情報、ノイズデータ、映像品位データをメモリに記憶させ、受像画面に表示させてもよい。
【０１８３】
そのための構成は、テキストデータデコーダ回路１０、ノイズ検出回路２０、映像品位検出回路３０は、チューナー回路２から出力される映像信号Ｓ１を受け、出力がチューニングコントロール回路５に与えられるように設けられ、ＣＧ回路４０は、映像信号処理回路３の出力と映像信号出力端子９との間に設けられる。
【０１８４】
＜第８の実施例＞
図２２に本発明に係る第８の実施例としてＶＴＲの自動同調装置Ａ８の構成を示す。図２２において、２Ａはアンテナ１に接続されたチューナー回路、４はチューナー回路２Ａからの受信信号を受け放送局の有無を検知するＡＦＴ検出回路、５はチューナー回路２Ａのチューニング動作を制御するチューニングコントロール回路、６はチューニングコントロール回路に接続されるメモリであり、チューニングコントロール回路５Ａとメモリ６とでシステムコントロール回路７Ｃが構成されている。また、チューナー回路２Ａには音声処理装置６０が接続されている。
【０１８５】
音声処理装置６０は、チューナー回路２Ａから出力される音声中間周波信号（Sound Intermediate Freqency：以後ＳＩＦ信号と呼称）Ｓ１２を受け、音声に復調する音声復調回路と、電圧制御発振器（Voltage Controlled Oscllator：以後ＶＣＯと呼称）とで構成されている。
【０１８６】
音声処理装置６０内にはＦＭ検波を行うＦＭ音声復調回路６１、６２、６３、６４とＡＭ検波を行うＡＭ音声復調回路６５がそれぞれＳＩＦ信号が並列に与えられるように設けられ、ＦＭ音声復調回路６１には４．５ＭＨｚの発振周波数を有するＶＣＯ６１０、ＦＭ音声復調回路６２には５．５ＭＨｚの発振周波数を有するＶＣＯ６２０、ＦＭ音声復調回路６３には６．０ＭＨｚの発振周波数を有するＶＣＯ６３０、ＦＭ音声復調回路６４およびＡＭ音声復調回路６５には６．５ＭＨｚの発振周波数を有するＶＣＯ６４０が接続されており、ＦＭ音声復調回路６１、６２、６３、６４およびＡＭ音声復調回路６５の出力は、チューニングコントロール回路５Ａに与えられる。
【０１８７】
ここで、ＦＭ音声復調回路６１、６２、６３、６４はクォードラチャー方式などのＦＭ検波回路で構成され、ＡＭ音声復調回路６５はＡＭ検波回路で構成されており、どちらも周知の回路であるので詳細説明は省略する。またＶＣＯも一般的な構成であるので詳細説明は省略する。
【０１８８】
次に図２３および図２４に示すフローチャートを用いて自動同調装置Ａ８の動作について説明する。ユーザーから、自動同調の命令を受けたチューニングコントロール回路５Ａは、チューナー回路２Ａに対してチューニングコントロール信号Ｓ３を送り、一定量だけチューニング周波数を上げる方向へ制御する（ステップＳＴ１）。
【０１８９】
アンテナ１で受信する放送局の音声信号（音声キャリア）の有無を検知するため、ＡＦＴ検出回路４の出力であるＡＦＴ信号Ｓ４を、チューニングコントロール回路５に入力する（ステップＳＴ２）。
【０１９０】
ステップＳＴ２においてＡＦＴ信号Ｓ４が与えられていない場合には、現在の周波数がチューニング周波数の上限に達しているか、すなわちチューニングが終了したか否かの判別を行い（ステップＳＴ３）、現在の周波数がチューニング周波数の上限に達していればチューニングを終了するが、そうでない場合は、再度ステップＳＴ１の動作を行う。
【０１９１】
ステップＳＴ２においてＡＦＴ信号Ｓ４が与えられている場合には、チューナー回路２Ａから出力されるＳＩＦ信号Ｓ１２をＦＭ音声復調回路６１に与える（ステップＳＴ４）。ＦＭ音声復調回路６１には４．５ＭＨｚの発振周波数を有するＶＣＯ６１０が接続されており、与えられたＳＩＦ信号Ｓ１２中にＶＣＯ６１０の周波数４．５ＭＨｚにあった音声キャリアがあれば、音声信号を復調し（ステップＳＴ５）、システムコントローラ７Ｃに伝達されチューニングデータとともに、そのときのＶＣＯの周波数をメモリ６に記憶し（ステップＳＴ６）、ステップＳＴ１以降の動作を行う。
【０１９２】
ここで、与えられたＳＩＦ信号Ｓ１２中にＶＣＯ６１０の周波数４．５ＭＨｚにあった音声キャリアが無い場合は、ＦＭ音声復調回路６２において、与えられたＳＩＦ信号Ｓ１２中にＶＣＯ６２０の周波数５．５ＭＨｚにあった音声キャリアの有無について判定され（ステップＳＴ７）、音声キャリアがあれば、音声信号を復調し（ステップＳＴ５）、システムコントローラ７Ｃに伝達されチューニングデータとともに、そのときのＶＣＯの周波数をメモリ６に記憶し（ステップＳＴ６）、ステップＳＴ１以降の動作を行う。
【０１９３】
同様に、与えられたＳＩＦ信号Ｓ１２中にＶＣＯ６２０の周波数５．５ＭＨｚにあった音声キャリアが無い場合は、ＦＭ音声復調回路６３において、与えられたＳＩＦ信号Ｓ１２中にＶＣＯ６３０の周波数６．０ＭＨｚにあった音声キャリアの有無について判定され（ステップＳＴ８）、音声キャリアがあれば、音声信号を復調し（ステップＳＴ５）、システムコントローラ７Ｃに伝達されチューニングデータとともに、そのときのＶＣＯの周波数をメモリ６に記憶し（ステップＳＴ６）、ステップＳＴ１以降の動作を行う。
【０１９４】
同様に与えられたＳＩＦ信号Ｓ１２中にＶＣＯ６３０の周波数６．０ＭＨｚにあった音声キャリアが無い場合は、ＦＭ音声復調回路６４において、与えられたＳＩＦ信号Ｓ１２中にＶＣＯ６４０の周波数６．５ＭＨｚにあった音声キャリアの有無について判定され（ステップＳＴ９）、音声キャリアがあれば、音声信号を復調し（ステップＳＴ５）、システムコントローラ７Ｃに伝達されチューニングデータとともに、そのときのＶＣＯの周波数をメモリ６に記憶し（ステップＳＴ６）、ステップＳＴ１以降の動作を行う。
【０１９５】
同様に与えられたＳＩＦ信号Ｓ１２中にＶＣＯ６４０の周波数６．５ＭＨｚにあった音声キャリアが無い場合は、ＡＭ音声復調回路６５において、与えられたＳＩＦ信号Ｓ１２中にＶＣＯ６４０の周波数６．５ＭＨｚに合った音声キャリアの有無について判定され（ステップＳＴ１０）、音声キャリアがあれば、音声信号を復調し（ステップＳＴ５）、システムコントローラ７Ｃに伝達されチューニングデータとともに、そのときのＶＣＯの周波数をメモリ６に記憶し（ステップＳＴ６）、ステップＳＴ１以降の動作を行う。
【０１９６】
また、ステップＳＴ４〜ステップＳＴ８において、各々のＶＣＯの周波数にあった音声キャリアが無い場合は、チューニング周波数が上限に達しているか否かを判定し（ステップＳＴ１１）、チューニング周波数が上限に達している場合にはチューニング動作を終了し、上限に達していない場合にはステップＳＴ１の動作を繰り返す。
【０１９７】
このように、ＳＩＦ信号Ｓ１２がＦＭ音声復調回路６１〜６４およびＡＭ音声復調回路６５のいずれに合った周波数を有しているかによって、その受信信号の音声信号方式が検知できるものである。たとえば、映像信号方式がＰＡＬ方式およびＳＥＣＡＭ方式においては、６．０ＭＨｚの出力が現れる場合は、音声信号方式はＩ方式であり、５．５ＭＨｚの出力が現れる場合は、音声信号方式はＢ／Ｇ方式であり、６．５ＭＨｚの出力が現れる場合は、音声信号方式はＤ／Ｋ方式である。また、４．５ＭＨｚの出力が現れる場合は、音声信号方式はＭ方式であり、このときの映像信号方式はＮＴＳＣ方式である。
【０１９８】
従って本実施例の自動同調装置Ａ８によれば、映像信号方式だけでなく音声信号方式を判別することで受信信号をさらに細かく分類できることになる。このような機能は、同じ映像信号方式の放送局が複数存在し、かつ、各々の音声信号方式が異なっている場合、例えば国境周辺での受信において、自動的にそれぞれの放送局に対応することができる。
【０１９９】
また、複数の音声復調回路と、音声復調回路のそれぞれに発振周波数の異なるＶＣＯを備えることにより、音声信号方式の方式の判別が並列処理されることになり、判別に費やす時間を短縮することができる。
【０２００】
なお、以上説明した自動同調装置Ａ８では映像信号方式の判別については言及していないが、本発明に係る第５〜第７の実施例に示した自動同調装置Ａ５〜Ａ７と組み合わせることで映像信号方式の判別が可能となる。
【０２０１】
また、音声信号方式の判別結果は、オートチューニング時あるいはオートチューニング完了後、メモリ６より読み出して、例えばクロマ回路やビデオ系のチューナー回路の切換えや、チャンネルポジションの並び換えなどに利用してもよく、更にこの判別動作はオートチューニング中のみに限らず必要ならばいつ行なってもよい。
【０２０２】
＜第９の実施例＞
図２５に本発明に係る第９の実施例としてＶＴＲの自動同調装置Ａ９の構成を示す。図２５において、２Ａはアンテナ１に接続されたチューナー回路、４はチューナー回路２Ａからの受信信号を受け放送局の有無を検知するＡＦＴ検出回路、５はチューナー回路２のチューニング動作を制御するチューニングコントロール回路、６はチューニングコントロール回路に接続されるメモリ回路であり、チューニングコントロール回路５とメモリ６とでシステムコントローラ７が構成されている。また、チューナー回路２ＡにはＳＩＦ信号Ｓ１２を受け、音声に復調する音声復調回路７０が接続され、音声復調回路７０にはチューニングコントロール回路５から出力されるＶＣＯ制御信号Ｓ１３により制御され、所定の周波数のクロック信号Ｓ１４を出力するＶＣＯ８０が接続されている。音声復調回路７０の出力である音声信号Ｓ１５は音声検波回路９０に与えられ、検波された音声検波信号Ｓ１６は、チューニングコントロール回路５に与えられる。
【０２０３】
ここで、音声復調回路７０はクォードラチャー方式などのＦＭ検波回路で構成され、周知の回路であるので詳細説明は省略する。ＶＣＯ８０は５．５ＭＨｚから７．０ＭＨｚまでのクロック信号Ｓ１４を出力するが、その構成は一般的であるので詳細説明は省略する。
【０２０４】
音声検波回路９０の構成を図２６に示す。図２６に示すように音声検波回路９０は半波整流回路９０１とパルス整形回路９０２とで構成され、（復調済）音声信号Ｓ１５は半波整流回路９０１で半波整流されパルス整形回路９０２に与えられる。パルス整形回路９０２は半波整流された音声信号をパルス化して、“Ｈｉｇｈ”と“Ｌｏｗ”の直流電圧信号（音声検波信号Ｓ１６）として出力する。
【０２０５】
次に図２７に示すフローチャートを用いて自動同調装置Ａ９の動作について説明する。ユーザーから、自動同調の命令を受けたチューニングコントロール回路５は、まず初期設定としてＶＣＯ８０の発振周波数を５．５ＭＨｚにセットする（ステップＳＴ１）。
【０２０６】
次にチューナー回路２Ａに対してチューニングコントロール信号Ｓ３を送り、一定量チューニング周波数を上げる方向へ制御する（ステップＳＴ２）。
【０２０７】
次に、その周波数の信号を発信している放送局の有無を検知するため、ＡＦＴ検出回路４の出力であるＡＦＴ信号Ｓ４をチューニングコントロール回路５に入力する（ステップＳＴ３）。
【０２０８】
ＡＦＴ信号Ｓ４が与えられている場合には、チューニング周波数を保持した状態で、与えられたＳＩＦ信号Ｓ１２中にＶＣＯ８０の周波数５．５ＭＨｚにあった音声キャリアがあれば、音声信号Ｓ１５に復調され出力される（ステップＳＴ４）。
【０２０９】
復調された音声信号Ｓ１５は、音声検波回路９０に送られ、パルス化されて音声検波信号Ｓ１６としてシステムコントローラ７に送られる（ステップＳＴ５）。
【０２１０】
音声検波信号Ｓ１６が“Ｈｉｇｈ”であれば、その時のチューニングデータとＶＣＯ８０の発振周波数をアドレスデータとしてシステムコントローラ７内のメモリ６に記憶し、次に記憶するアドレスを１つインクリメントして更にチューニング動作を続行する（ステップＳＴ６）。
【０２１１】
ステップＳＴ１〜ＳＴ６の動作をチューニング周波数上限に達するまで行い、上限に達すれば、チューニングモードを終了する（ステップＳＴ７）。
【０２１２】
また、ステップＳＴ５において音声検波信号Ｓ１６が“Ｌｏｗ”であれば、ＶＣＯ８０の発振周波数を０．５ＭＨｚ上げ（ステップＳＴ８）、そのときのＶＣＯ８０の発振周波数が７．０ＭＨｚでなければ音声復調回路７０で復調された音声信号Ｓ１５を音声検波回路９０に送り（ステップＳＴ９）、音声信号Ｓ１５をパルス化する。ＶＣＯ８０の発振周波数を変更することによって音声検波信号Ｓ１６が“Ｈｉｇｈ”に転じれば、その時のチューニングデータとＶＣＯ８０の発振周波数をアドレスデータとしてシステムコントローラ７内のメモリ６に記憶し、次に記憶するアドレスを１つインクリメントして更にチューニング動作を続行する（ステップＳＴ６）。
【０２１３】
なお、ＶＣＯ８０の発振周波数を変更しても、音声検波信号Ｓ１６が“Ｌｏｗ”のままであれば、ＶＣＯの周波数が７．０ＭＨｚに達した時点でステップＳＴ１に戻ってチューニングを終了する。
【０２１４】
以上説明したように自動同調装置Ａ９は、５．５ＭＨｚから７．０ＭＨｚまでのクロック信号Ｓ１４を出力するＶＣＯ８０と、音声検波回路９０を備えることにより、音声復調回路７０を複数設けることなく音声信号の方式の違いを判別することができるので、構成要素が少なくて済むので小型化に適している。
【０２１５】
また、本発明に係る第５〜第７の実施例に示した自動同調装置Ａ５〜Ａ７と組み合わせることで映像信号方式の判別が併せて可能となる。
【０２１６】
なお、上記実施例では放送局の有無を検知するため、ＡＦＴ検出回路４の出力であるＡＦＴ信号Ｓ４を用いる例を示したが、チューナー回路２Ａから出力されるＳＩＦ信号Ｓ１２を用いることで、チューニング時の判定精度を向上させることができる。
【０２１７】
また、音声キャリア方式の判別結果は、オートチューニング時あるいはオートチューニング完了後、メモリ６より読み出して、例えばクロマ回路やビデオ系のチューナー回路の切換えや、チャンネルポジションの並び換えなどに利用してもよく、更にこの判別動作はオートチューニング中のみに限らず必要ならばいつ行なってもよい。
【０２１８】
＜第１０の実施例＞
図２８に本発明に係る第１０の実施例としてＶＴＲの自動同調装置Ａ１０の構成を示す。図２８において、２Ａはアンテナ１に接続されたチューナー回路、３はチューナー回路２Ａからコンポジットの映像信号Ｓ１を受けて、信号処理を行うＳＹＮＣ分離回路を含む映像信号処理回路、４はチューナー回路２Ａからの受信信号を受け放送局の有無を検知するＡＦＴ検出回路、５はチューナー回路２Ａのチューニング動作を制御するチューニングコントロール回路、６はチューニングコントロール回路に接続されるメモリであり、１００はメモリ６に記憶されたチューニングデータを所定のポジション番号に従って並べるソーティングコントロール回路であり、映像信号処理回路３からのＳＹＮＣ信号Ｓ２により制御される。
【０２１９】
チューニングコントロール回路５とメモリ６およびソーティングコントロール回路を備えてシステムコントローラ７Ｄが構成されている。また、１０は映像信号Ｓ１を受け、放送局からの情報であるテレテキスト信号Ｓ５を映像信号Ｓ１から取り出し、メモリ６に与えるテキストデータデコーダ回路である。また、８は入力信号の映像信号方式に合わせてチューニングコントロール回路５の動作を切換えるための入力信号方式切換えスイッチである。
【０２２０】
ここで、図２９を用いてソーティングコントロール回路１００の構成について説明する。ソーティングコントロール回路１００はソフトウェアで構成される回路であるが、図２９においてはハードウェアとして示す。
【０２２１】
図２９において、ソーティングコントロール回路１００は、選局のためのポジション番号を付与するためのポジション番号ポインタ１１０と、放送局番号（ステーション番号）を付与するためのステーション番号ポインタ１２０と、メモリ６内に予め設けられたソート基準メモリ６１から放送局情報（ステーションＩＤ）を読み出す第１レジスタ１３０と、チューニング動作によってメモリ６に記憶されたチューニングデータメモリ６２からステーションＩＤを読み出す第２レジスタ１４０と、第１レジスタ１３０および第２レジスタ１４０にそれぞれ読み出されたステーションＩＤの比較を行う比較部１５０と、比較結果を判定し、ポジション番号ポインタ１１０およびステーション番号ポインタ１２０に付与番号を指示する判定部１６０とを備え、ソーティングによりポジション番号とステーション番号とが対応したソート結果を、メモリ６内のソート結果メモリ６３に記憶させる。
【０２２２】
次に図３０および図３１に示すフローチャートを用いて自動同調装置Ａ１０の動作について説明する。ユーザーから、オートチューニングのコマンドをシステムコントローラ７Ｄが受けると、メモリ６のメモリーのアドレスをステーション番号「０」に設定する（ステップＳＴ１）。
【０２２３】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【０２２４】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ４）。
【０２２５】
また、同時にテキストデータデコーダ回路１０において、コンポジットの映像信号Ｓ１から、信号のブランキング期間に重畳されているテキスト情報をデコードし、デコードされたテレテキスト（文字放送）信号Ｓ５がチューニングコントロール回路５へ入力される（ステップＳＴ５）。
【０２２６】
チューニングコントロール回路５において、テレテキスト信号Ｓ５の中の放送局情報（ステーションＩＤ）を取り出して判別し（ステップＳＴ６）、周波数に関するデータと同様にメモリ６内のステーション番号「０」のアドレスに記憶する（ステップＳＴ７）。
【０２２７】
続いて、次のチューニングデータを記憶するために、メモリ６のアドレスを１つインクリメントして、ステーション番号「１」として次のチューニング動作に入る（ステップＳＴ８）。
【０２２８】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ９）。
【０２２９】
このときの周波数がチューニング周波数の上限に達していなければ、ステップＳＴ２の動作を再び行い、ステップＳＴ２〜ＳＴ８までの動作をチューニング周波数の上限に達するまで繰り返して行う。
【０２３０】
ステップＳＴ９においてチューニング周波数の上限に達している場合には、ソーティングコントロール回路１００のソーティング動作となる。まず、メモリ６内のソート基準メモリ６１をアクティブにして、予め設定したポジション番号に対応するステーションＩＤを読み出し（ステップＳＴ１０）、ポジション番号ポインタ１１０の示すステーションＩＤを第１レジスタ１３０にロードする（ステップＳＴ１１）。
【０２３１】
次に、メモリ６内のチューニングデータメモリ６２をアクティブにして、ステーション番号に対応するステーションＩＤを読み出し、ステーション番号ポインタ１２０の示すステーションＩＤを第２レジスタ１４０にロードし、比較部１５０において、第１および第２レジスタ１３０および１４０にロードされたそれぞれのステーションＩＤの比較を行い、判定部１６０において判定を行う（ステップＳＴ１２）。
【０２３２】
ステップＳＴ１２において、ステーションＩＤが一致した場合は、メモリ６内のソート結果メモリ６３に、ポジション番号に対応させてステーション番号を記憶する（ステップＳＴ１３）。
【０２３３】
次に、ポジション番号ポインタ１１０においてポジション番号を１つインクリメントさせる（ステップＳＴ１４）。
【０２３４】
次に、現在のステーション番号が上限に達しているか否かについてステーション番号ポインタ１２０において判定する（ステップＳＴ１５）。
【０２３５】
一方、ステップＳＴ１２においてステーションＩＤが一致していない場合にも、ステップＳＴ１５の動作を行う。
【０２３６】
ステップＳＴ１５において、現在のステーション番号が上限に達していない場合には、ステーション番号ポインタ１２０においてステーション番号を１つインクリメントさせ、再度ステップＳＴ１２以後の動作を行う（ステップＳＴ１６）。
【０２３７】
一方、現在のステーション番号が上限に達している場合には、全てのステーションＩＤをソートしたか否か、すなわちポジション番号が上限に達しているか否かについてポジション番号ポインタ１１０において判定する（ステップＳＴ１７）。
【０２３８】
ステップＳＴ１７において全てのステーションＩＤがソートされたと判定されるとソーティング動作を終了する。
【０２３９】
一方、全てのステーションＩＤがソートされていない場合には、ポジション番号ポインタ１１０においてポジション番号を１つインクリメントさせ、再度ステップＳＴ１１以後の動作を行う（ステップＳＴ１８）。
【０２４０】
以上説明した自動同調回路Ａ１０は、ソーティングコントロール回路１００を備え、ソーティング動作を行うことにより、各ポジション番号には予め決められたステーションＩＤの放送局が自動的に設定され、ユーザーがポジション番号に対応させて放送局を設定する必要がなくなり、ユーザーにかける負担を軽減することができる。
【０２４１】
なお、以上のソーティング動作において、ステーション番号に対応するステーションＩＤが発見されない場合は、そのポジション番号を選局せず、スキップ等の処理を行なう。
【０２４２】
＜第１１の実施例＞
図３２に本発明に係る第１１の実施例としてＶＴＲの自動同調装置Ａ１１の構成を示す。図３２において、図２８を用いて説明した自動同調装置Ａ１０と同一の構成については同一の符号を付し、重複する説明は省略する。
【０２４３】
図３２において、メモリ６にはユーザーが並べ替え順序の設定を行うためのユーザー入力コントロール回路２００が接続され、チューニングコントロール回路５とメモリ６およびソーティングコントロール回路１００、ユーザー入力コントロール回路２００を備えてシステムコントローラ７Ｅが構成されている。また、ユーザー入力コントロール回路２００には、ユーザーが設定を入力するためのキー入力装置３００が接続されている。
【０２４４】
ここで、図３３を用いてユーザー入力コントロール回路２００の構成について説明する。図３３において、ユーザー入力コントロール回路２００は、キー入力装置３００との間で信号の授受を行うキーインターフェース回路２１０と、キーインターフェース回路２１０に接続されるポジション番号レジスタ２２０およびステーション名レジスタ２３０と、ステーション名レジスタ２３０に接続されるステーションＩＤ変換回路２４０および表示装置２５０とを備え、ポジション番号レジスタ２２０は、ソーティングコントロール回路１００のポジション番号ポインタ１１０を介してメモリ６のソート基準メモリ６１に接続され、ステーションＩＤ変換回路２４０もソート基準メモリ６１に接続されている。
【０２４５】
次に、ユーザー入力コントロール回路２００の動作について説明する。ユーザーがキー入力装置３００からポジション番号に対応させて放送局情報（放送局名や放送局名コードなど）を入力すると、ポジション番号はポジション番号レジスタ２２０に、放送局情報はステーション名レジスタ２３０に与えられ、ポジション番号はポジション番号ポインタ１１０により、ソート基準メモリ６１に与えられ、放送局情報はステーションＩＤ変換回路２４０でステーションＩＤに変換されてソート基準メモリ６１に与えられ、記憶される。ここで、放送局情報は表示装置２５０に表示される。
【０２４６】
次に図３４および図３５に示すフローチャートを用いて自動同調装置Ａ１１の動作について説明する。まずユーザーがキー入力装置３００によりポジション番号に対応させて放送局情報（放送局名や放送局名コードなど）を入力し、ソート順序を設定する（ステップＳＴ１）。
【０２４７】
次に、オートチューニングのコマンドをシステムコントローラ７Ｅが受けると、メモリ６のメモリーのアドレスをステーション番号「０」に設定する（ステップＳＴ２）。
【０２４８】
次にチューナー回路２Ａに対してチューニングコントロール信号Ｓ３を送り、一定量だけチューニング周波数を上げる方向へ制御する（ステップＳＴ３）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ４）。
【０２４９】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ５）。
【０２５０】
また、同時にテキストデータデコーダ回路１０において、コンポジットの映像信号Ｓ１から、信号のブランキング期間に重畳されているテキスト情報をデコードし、デコードされたテレテキスト（文字放送）信号Ｓ５がチューニングコントロール回路５へ入力される（ステップＳＴ６）。
【０２５１】
チューニングコントロール回路５において、テレテキスト信号Ｓ５の中の放送局情報（ステーションＩＤ）を取り出して判別し（ステップＳＴ７）、周波数に関するデータと同様にメモリ６内のステーション番号「０」のアドレスに記憶する（ステップＳＴ８）。
【０２５２】
続いて、次のチューニングデータを記憶するために、メモリ６のアドレスを１つインクリメントして、ステーション番号「１」として次のチューニング動作に入る（ステップＳＴ９）。
【０２５３】
一方、ステップＳＴ４において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ１０）。
【０２５４】
このときの周波数がチューニング周波数の上限に達していなければ、ステップＳＴ３の動作を再び行い、ステップＳＴ３〜ＳＴ９までの動作をチューニング周波数の上限に達するまで繰り返して行う。
【０２５５】
ステップＳＴ１０においてチューニング周波数の上限に達している場合には、ソーティングコントロール回路１００のソーティング動作となる。まず、メモリ６内のソート基準メモリ６１をアクティブにして、予め設定したポジション番号に対応するステーションＩＤを読み出し（ステップＳＴ１１）、ポジション番号ポインタ１１０の示すステーションＩＤを第１レジスタ１３０にロードする（ステップＳＴ１２）。
【０２５６】
次に、メモリ６内のチューニングデータメモリ６２をアクティブにして、ステーション番号に対応するステーションＩＤを読み出し、ステーション番号ポインタ１２０の示すステーションＩＤを第２レジスタ１４０にロードし、比較部１５０において、第１および第２レジスタ１３０および１４０にロードされたそれぞれのステーションＩＤの比較を行い、判定部１６０において判定を行う（ステップＳＴ１３）。
【０２５７】
ステップＳＴ１３において、ステーションＩＤが一致した場合は、メモリ６内のソート結果メモリ６３に、ポジション番号に対応させてステーション番号を記憶する（ステップＳＴ１４）。
【０２５８】
次に、ポジション番号ポインタ１１０においてポジション番号を１つインクリメントさせる（ステップＳＴ１５）。
【０２５９】
次に、現在のステーション番号が上限に達しているか否かについてステーション番号ポインタ１２０において判定する（ステップＳＴ１６）。
【０２６０】
一方、ステップＳＴ１３においてステーションＩＤが一致していない場合にも、ステップＳＴ１６の動作を行う。
【０２６１】
ステップＳＴ１６において、現在のステーション番号が上限に達していない場合には、ステーション番号ポインタ１２０においてステーション番号を１つインクリメントさせ、再度ステップＳＴ１２以後の動作を行う（ステップＳＴ１７）。
【０２６２】
一方、現在のステーション番号が上限に達している場合には、全てのステーションＩＤをソートしたか否か、すなわちポジション番号が上限に達しているか否かについてポジション番号ポインタ１１０において判定する（ステップＳＴ１８）。
【０２６３】
ステップＳＴ１８において全てのステーションＩＤがソートされたと判定されるとソーティング動作を終了する。
【０２６４】
一方、全てのステーションＩＤがソートされていない場合には、ポジション番号ポインタ１１０においてポジション番号を１つインクリメントさせ、再度ステップＳＴ１２以後の動作を行う（ステップＳＴ１９）。
【０２６５】
以上説明した自動同調回路Ａ１１は、ユーザー入力コントロール回路２００を備えることで、ユーザーが望む放送局を、ユーザーが設定したソート順序に従ってソーティング動作を行うことにより、各ポジション番号にはユーザーが望むステーションＩＤの放送局が自動的に設定されることになる。これは、ユーザーがポジション番号と放送局情報を設定しなければならないという点ではユーザーに負担をかけることになるが、受信可能な放送局が限定されているような地域において、受信可能な放送局の中からユーザーの必要に応じて自動同調させる放送局を設定できるという利点がある。
【０２６６】
＜第１２の実施例＞
図３６に本発明に係る第１２の実施例としてＶＴＲの自動同調装置Ａ１２の構成を示す。図３６において、図２８を用いて説明した自動同調装置Ａ１０と同一の構成については同一の符号を付し、重複する説明は省略する。
【０２６７】
図３６において、メモリ６には映像信号処理回路３から出力されるＳＹＮＣ信号Ｓ２およびカラーバースト信号（アイデント信号）Ｓ８を受けて、映像信号方式がＮＴＳＣ方式、ＰＡＬ方式、ＳＥＣＡＭ方、ＳＥＣＡＭ−Ｌ方式のいずれであるかを判別する映像信号方式判別回路４００が接続されている。
【０２６８】
また、チューニングコントロール回路５とメモリ６およびソーティングコントロール回路１００を備えてシステムコントローラ７Ｄが構成されている。
【０２６９】
ここで、映像信号方式判別回路４００は、本発明に係る第５の実施例で説明した自動同調装置Ａ５に示す、ＳＹＮＣ信号の数により映像信号方式がＮＴＳＣ方式かその他の方式かを判別するＳＹＮＣ判別回路１１および、映像信号処理回路３の出力の１つである、カラーバースト信号（アイデント信号）Ｓ８を受け、映像信号方式がＰＡＬ方式かＳＥＣＡＭ方式かを判別するカラー判別回路１３を備えた構成となっており、ＳＹＮＣ判別回路１１およびカラー判別回路１３の詳細については説明済みであるので重複する説明は省略し、以後の説明においては映像信号方式判別回路４００の出力を「映像信号方式の判別結果」と呼称する。また、ソーティングコントロール回路１００においては、放送局情報（ステーションＩＤ）の代わりに映像信号方式を用いることになるので、本発明に係る第１０の実施例で説明した自動同調装置Ａ１０における「ステーションＩＤ」を「映像信号方式」と読み替える。
【０２７０】
次に図３７および図３８に示すフローチャートを用いて自動同調装置Ａ１２の動作について説明する。ユーザーから、オートチューニングのコマンドをシステムコントローラ７Ｄが受けると、メモリ６のメモリーのアドレスをステーション番号「０」に設定する（ステップＳＴ１）。
【０２７１】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【０２７２】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ４）。
【０２７３】
また、同時に映像信号方式判別回路４００から映像信号方式の判別結果を得る（ステップＳＴ５）。
【０２７４】
映像信号方式の判別結果を周波数に関するデータと同様にメモリ６内のステーション番号「０」のアドレスに記憶する（ステップＳＴ６）。
【０２７５】
続いて、次のチューニングデータを記憶するために、メモリ６のアドレスを１つインクリメントして、ステーション番号「１」として次のチューニング動作に入る（ステップＳＴ７）。
【０２７６】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していなければ、ステップＳＴ２の動作を再び行い、ステップＳＴ２〜ＳＴ７までの動作をチューニング周波数の上限に達するまで繰り返して行う。
【０２７７】
ステップＳＴ８においてチューニング周波数の上限に達している場合には、ソーティングコントロール回路１００のソーティング動作となる。まず、メモリ６内のソート基準メモリ６１をアクティブにして、予め設定したポジション番号に対応する映像信号方式を読み出し（ステップＳＴ９）、ポジション番号ポインタ１１０の示す映像信号方式を第１レジスタ１３０にロードする（ステップＳＴ１０）。
【０２７８】
次に、メモリ６内のチューニングデータメモリ６２をアクティブにして、ステーション番号に対応する映像信号方式を読み出し、ステーション番号ポインタ１２０の示す映像信号方式を第２レジスタ１４０にロードし、比較部１５０において、第１および第２レジスタ１３０および１４０にロードされたそれぞれの映像信号方式の比較を行い、判定部１６０において判定を行う（ステップＳＴ１１）。
【０２７９】
ステップＳＴ１１において、映像信号方式が一致した場合は、メモリ６内のソート結果メモリ６３に、ポジション番号に対応させてステーション番号を記憶する（ステップＳＴ１２）。
【０２８０】
次に、ポジション番号ポインタ１１０においてポジション番号を１つインクリメントさせる（ステップＳＴ１３）。
【０２８１】
次に、現在のステーション番号が上限に達しているか否かについてステーション番号ポインタ１２０において判定する（ステップＳＴ１４）。
【０２８２】
一方、ステップＳＴ１１において映像信号方式が一致していない場合にも、ステップＳＴ１４の動作を行う。
【０２８３】
ステップＳＴ１４において、現在のステーション番号が上限に達していない場合には、ステーション番号ポインタ１２０においてステーション番号を１つインクリメントさせ、再度ステップＳＴ１１以後の動作を行う（ステップＳＴ１５）。
【０２８４】
一方、現在のステーション番号が上限に達している場合には、全ての映像信号方式をソートしたか否か、すなわちポジション番号が上限に達しているか否かについてポジション番号ポインタ１１０において判定する（ステップＳＴ１６）。
【０２８５】
ステップＳＴ１６において全ての映像信号方式がソートされたと判定されるとソーティング動作を終了する。
【０２８６】
一方、全ての映像信号方式がソートされていない場合には、ポジション番号ポインタ１１０においてポジション番号を１つインクリメントさせ、再度ステップＳＴ１１以後の動作を行う（ステップＳＴ１７）。
【０２８７】
以上説明した自動同調回路Ａ１２は、ソーティングコントロール回路１００と映像信号方式判別回路４００を備え、ソーティング動作を行うことにより、各ポジション番号には予め決められた映像信号方式の放送局が自動的に設定され、ユーザーがポジション番号に対応させて映像信号方式を入力する必要がなくなり、ユーザーにかける負担を軽減することができる。
【０２８８】
＜第１３の実施例＞
図３９に本発明に係る第１３の実施例としてＶＴＲの自動同調装置Ａ１３の構成を示す。図３９において、図３６を用いて説明した自動同調装置Ａ１２と同一の構成については同一の符号を付し、重複する説明は省略する。
【０２８９】
図３９において、メモリ６にはユーザーが設定を行うためのユーザー入力コントロール回路２００が接続され、チューニングコントロール回路５とメモリ６およびソーティングコントロール回路１００、ユーザー入力コントロール回路２００を備えてシステムコントローラ７Ｅが構成されている。また、ユーザー入力コントロール回路２００には、ユーザーが設定を入力するためのキー入力装置３００が接続されている。ここで、ユーザー入力コントロール回路２００とキー入力装置３００の構成は第１１の実施例で説明しているので重複する説明は省略する。また、ソーティングコントロール回路１００およびユーザー入力コントロール回路２００においては、放送局情報（ステーションＩＤ）の代わりに映像信号方式を用いることになるので、本発明に係る第１１の実施例で説明した自動同調装置Ａ１１における「ステーションＩＤ」を「映像信号方式」と読み替える。
【０２９０】
次に図４０および図４１に示すフローチャートを用いて自動同調装置Ａ１３の動作について説明する。まずユーザーがキー入力装置３００によりポジション番号に対応させて映像信号方式を入力し、ソート順序を設定する（ステップＳＴ１）。
【０２９１】
次に、オートチューニングのコマンドをシステムコントローラ７Ｅが受けると、メモリ６のメモリーのアドレスをステーション番号「０」に設定する（ステップＳＴ２）。
【０２９２】
次にチューナー回路２Ａに対してチューニングコントロール信号Ｓ３を送り、一定量だけチューニング周波数を上げる方向へ制御する（ステップＳＴ３）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ４）。
【０２９３】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ５）。
【０２９４】
また、同時に映像信号方式判別回路４００から映像信号方式の判別結果を得る（ステップＳＴ６）。
【０２９５】
映像信号方式の判別結果を周波数に関するデータと同様にメモリ６内のステーション番号「０」のアドレスに記憶する（ステップＳＴ７）。
【０２９６】
続いて、次のチューニングデータを記憶するために、メモリ６のアドレスを１つインクリメントして、ステーション番号「１」として次のチューニング動作に入る（ステップＳＴ８）。
【０２９７】
一方、ステップＳＴ４において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していなければ、ステップＳＴ２の動作を再び行い、ステップＳＴ３〜ＳＴ８までの動作をチューニング周波数の上限に達するまで繰り返して行う。
【０２９８】
ステップＳＴ９においてチューニング周波数の上限に達している場合には、ソーティングコントロール回路１００のソーティング動作となる。まず、メモリ６内のソート基準メモリ６１をアクティブにして、予め設定したポジション番号に対応する映像信号方式を読み出し（ステップＳＴ１０）、ポジション番号ポインタ１１０の示す映像信号方式を第１レジスタ１３０にロードする（ステップＳＴ１１）。
【０２９９】
次に、メモリ６内のチューニングデータメモリ６２をアクティブにして、ステーション番号に対応する映像信号方式を読み出し、ステーション番号ポインタ１２０の示す映像信号方式を第２レジスタ１４０にロードし、比較部１５０において、第１および第２レジスタ１３０および１４０にロードされたそれぞれの映像信号方式の比較を行い、判定部１６０において判定を行う（ステップＳＴ１２）。
【０３００】
ステップＳＴ１２において、映像信号方式が一致した場合は、メモリ６内のソート結果メモリ６３に、ポジション番号に対応させてステーション番号を記憶する（ステップＳＴ１３）。
【０３０１】
次に、ポジション番号ポインタ１１０においてポジション番号を１つインクリメントさせる（ステップＳＴ１４）。
【０３０２】
次に、現在のステーション番号が上限に達しているか否かについてステーション番号ポインタ１２０において判定する（ステップＳＴ１５）。
【０３０３】
一方、ステップＳＴ１２において映像信号方式が一致していない場合にも、ステップＳＴ１５の動作を行う。
【０３０４】
ステップＳＴ１５において、現在のステーション番号が上限に達していない場合には、ステーション番号ポインタ１２０においてステーション番号を１つインクリメントさせ、再度ステップＳＴ１２以後の動作を行う（ステップＳＴ１６）。
【０３０５】
一方、現在のステーション番号が上限に達している場合には、全ての映像信号方式をソートしたか否か、すなわちポジション番号が上限に達しているか否かについてポジション番号ポインタ１１０において判定する（ステップＳＴ１７）。
【０３０６】
ステップＳＴ１７において全ての映像信号方式がソートされたと判定されるとソーティング動作を終了する。
【０３０７】
一方、全ての映像信号方式がソートされていない場合には、ポジション番号ポインタ１１０においてポジション番号を１つインクリメントさせ、再度ステップＳＴ１１以後の動作を行う（ステップＳＴ１８）。
【０３０８】
以上説明した自動同調回路Ａ１３は、ソーティングコントロール回路１００と映像信号方式判別回路４００に加えてユーザー入力コントロール回路２００を備えることで、ユーザーが望む放送局を、ユーザーが設定したソート順序に従ってソーティング動作を行うことにより、各ポジション番号にはユーザーが望む映像信号方式が自動的に設定されることになる。これは、ユーザーがポジション番号と映像信号方式を設定しなければならないという点ではユーザーに負担をかけることになるが、種々の映像信号方式が混在しているような地域において、ユーザーの必要に応じた映像信号方式のを放送局を設定できるという利点がある。
【０３０９】
＜第１４の実施例＞
図４２に本発明に係る第１４の実施例としてＶＴＲの自動同調装置Ａ１４の構成を示す。図４２において、図２８に示した自動同調装置Ａ１０と同一の構成については同一の符号を付し、重複する説明は省略する。自動同調装置Ａ１４においては図２８に示した自動同調装置Ａ１０のテキストデータデコーダ回路１０の代わりにチューナー回路２Ａに接続された音声信号方式判別回路５００が設けられている。
【０３１０】
ここで、音声信号方式判別回路５００は、図２２を用いて説明した自動同調装置Ａ８の音声処理装置６０、あるいは図２５を用いて説明した自動同調装置Ａ９の音声復調回路７０、ＶＣＯ８０、音声検波回路９０からなる音声信号処理手段で構成されている。これらの詳細については説明済みであるので重複する説明は省略し、以後の説明においては音声信号方式判別回路５００の出力を「音声方式の判別結果」と呼称する。また、ソーティングコントロール回路１００においては、放送局情報（ステーションＩＤ）の代わりに音声方式を用いることになるので、本発明に係る第１０の実施例で説明した自動同調装置Ａ１０における「ステーションＩＤ」を「音声方式」と読み替える。
【０３１１】
次に図４３および図４４に示すフローチャートを用いて自動同調装置Ａ１４の動作について説明する。ユーザーから、オートチューニングのコマンドをシステムコントローラ７Ｄが受けると、メモリ６のメモリーのアドレスをステーション番号「０」に設定する（ステップＳＴ１）。
【０３１２】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【０３１３】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ４）。
【０３１４】
また、同時に音声信号方式判別回路５００から音声方式の判別結果を得る（ステップＳＴ５）。
【０３１５】
音声方式の判別結果を周波数に関するデータと同様にメモリ６内のステーション番号「０」のアドレスに記憶する（ステップＳＴ６）。
【０３１６】
続いて、次のチューニングデータを記憶するために、メモリ６のアドレスを１つインクリメントして、ステーション番号「１」として次のチューニング動作に入る（ステップＳＴ７）。
【０３１７】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していなければ、ステップＳＴ２の動作を再び行い、ステップＳＴ２〜ＳＴ７までの動作をチューニング周波数の上限に達するまで繰り返して行う。
【０３１８】
ステップＳＴ８においてチューニング周波数の上限に達している場合には、ソーティングコントロール回路１００のソーティング動作となる。まず、メモリ６内のソート基準メモリ６１をアクティブにして、予め設定したポジション番号に対応する音声方式を読み出し（ステップＳＴ９）、ポジション番号ポインタ１１０の示す音声方式を第１レジスタ１３０にロードする（ステップＳＴ１０）。
【０３１９】
次に、メモリ６内のチューニングデータメモリ６２をアクティブにして、ステーション番号に対応する音声方式を読み出し、ステーション番号ポインタ１２０の示す音声方式を第２レジスタ１４０にロードし、比較部１５０において、第１および第２レジスタ１３０および１４０にロードされたそれぞれの音声方式の比較を行い、判定部１６０において判定を行う（ステップＳＴ１１）。
【０３２０】
ステップＳＴ１１において、音声方式が一致した場合は、メモリ６内のソート結果メモリ６３に、ポジション番号に対応させてステーション番号を記憶する（ステップＳＴ１２）。
【０３２１】
次に、ポジション番号ポインタ１１０においてポジション番号を１つインクリメントさせる（ステップＳＴ１３）。
【０３２２】
次に、現在のステーション番号が上限に達しているか否かについてステーション番号ポインタ１２０において判定する（ステップＳＴ１４）。
【０３２３】
一方、ステップＳＴ１１において音声方式が一致していない場合にも、ステップＳＴ１４の動作を行う。
【０３２４】
ステップＳＴ１４において、現在のステーション番号が上限に達していない場合には、ステーション番号ポインタ１２０においてステーション番号を１つインクリメントさせ、再度ステップＳＴ１１以後の動作を行う（ステップＳＴ１５）。
【０３２５】
一方、現在のステーション番号が上限に達している場合には、全ての音声方式をソートしたか否か、すなわちポジション番号が上限に達しているか否かについてポジション番号ポインタ１１０において判定する（ステップＳＴ１６）。
【０３２６】
ステップＳＴ１６において全ての音声方式がソートされたと判定されるとソーティング動作を終了する。
【０３２７】
一方、全ての音声方式がソートされていない場合には、ポジション番号ポインタ１１０においてポジション番号を１つインクリメントさせ、再度ステップＳＴ１０以後の動作を行う（ステップＳＴ１７）。
【０３２８】
以上説明した自動同調回路Ａ１４は、ソーティングコントロール回路１００と音声信号方式判別回路５００を備え、ソーティング動作を行うことにより、各ポジション番号には予め決められた音声方式の放送局が自動的に設定される。これは、国境周辺などで他国の異なる音声方式の放送局が混在する場合に、ユーザーに必要な放送局（例えば自国の放送局）を自動的に受信することができるという利点がある。
【０３２９】
＜第１５の実施例＞
図４５に本発明に係る第１５の実施例としてＶＴＲの自動同調装置Ａ１５の構成を示す。図４５において、図４２を用いて説明した自動同調装置Ａ１４と同一の構成については同一の符号を付し、重複する説明は省略する。
【０３３０】
図４５において、メモリ６にはユーザーが設定を行うためのユーザー入力コントロール回路２００が接続され、チューニングコントロール回路５とメモリ６およびソーティングコントロール回路１００、ユーザー入力コントロール回路２００を備えてシステムコントローラ７Ｅが構成されている。また、ユーザー入力コントロール回路２００には、ユーザーが設定を入力するためのキー入力装置３００が接続されている。ここで、ユーザー入力コントロール回路２００とキー入力装置３００の構成は第１１の実施例で説明しているので重複する説明は省略する。また、ソーティングコントロール回路１００およびユーザー入力コントロール回路２００においては、放送局情報（ステーションＩＤ）の代わりに音声方式を用いることになるので、本発明に係る第１１の実施例で説明した自動同調装置Ａ１１における「ステーションＩＤ」を「音声方式」と読み替える。
【０３３１】
次に図４６および図４７に示すフローチャートを用いて自動同調装置Ａ１５の動作について説明する。まずユーザーがキー入力装置３００によりポジション番号に対応させて音声方式を入力し、ソート順序を設定する（ステップＳＴ１）。
【０３３２】
次に、オートチューニングのコマンドをシステムコントローラ７Ｅが受けると、メモリ６のメモリーのアドレスをステーション番号「０」に設定する（ステップＳＴ２）。
【０３３３】
次にチューナー回路２Ａに対してチューニングコントロール信号Ｓ３を送り、一定量だけチューニング周波数を上げる方向へ制御する（ステップＳＴ３）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ４）。
【０３３４】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ５）。
【０３３５】
また、同時に音声信号方式判別回路５００から音声方式の判別結果を得る（ステップＳＴ６）。
【０３３６】
音声方式の判別結果を周波数に関するデータと同様にメモリ６内のステーション番号「０」のアドレスに記憶する（ステップＳＴ７）。
【０３３７】
続いて、次のチューニングデータを記憶するために、メモリ６のアドレスを１つインクリメントして、ステーション番号「１」として次のチューニング動作に入る（ステップＳＴ８）。
【０３３８】
一方、ステップＳＴ４において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ９）。このときの周波数がチューニング周波数の上限に達していなければ、ステップＳＴ３の動作を再び行い、ステップＳＴ３〜ＳＴ８までの動作をチューニング周波数の上限に達するまで繰り返して行う。
【０３３９】
ステップＳＴ９においてチューニング周波数の上限に達している場合には、ソーティングコントロール回路１００のソーティング動作となる。まず、メモリ６内のソート基準メモリ６１をアクティブにして、予め設定したポジション番号に対応する音声方式を読み出し（ステップＳＴ１０）、ポジション番号ポインタ１１０の示す音声方式を第１レジスタ１３０にロードする（ステップＳＴ１１）。
【０３４０】
次に、メモリ６内のチューニングデータメモリ６２をアクティブにして、ステーション番号に対応する音声方式を読み出し、ステーション番号ポインタ１２０の示す音声方式を第２レジスタ１４０にロードし、比較部１５０において、第１および第２レジスタ１３０および１４０にロードされたそれぞれの音声方式の比較を行い、判定部１６０において判定を行う（ステップＳＴ１２）。
【０３４１】
ステップＳＴ１２において、音声方式が一致した場合は、メモリ６内のソート結果メモリ６３に、ポジション番号に対応させてステーション番号を記憶する（ステップＳＴ１３）。
【０３４２】
次に、ポジション番号ポインタ１１０においてポジション番号を１つインクリメントさせる（ステップＳＴ１４）。
【０３４３】
次に、現在のステーション番号が上限に達しているか否かについてステーション番号ポインタ１２０において判定する（ステップＳＴ１５）。
【０３４４】
一方、ステップＳＴ１２において音声方式が一致していない場合にも、ステップＳＴ１５の動作を行う。
【０３４５】
ステップＳＴ１５において、現在のステーション番号が上限に達していない場合には、ステーション番号ポインタ１２０においてステーション番号を１つインクリメントさせ、再度ステップＳＴ１１以後の動作を行う（ステップＳＴ１６）。
【０３４６】
一方、現在のステーション番号が上限に達している場合には、全ての音声方式をソートしたか否か、すなわちポジション番号が上限に達しているか否かについてポジション番号ポインタ１１０において判定する（ステップＳＴ１７）。
【０３４７】
ステップＳＴ１７において全ての音声方式がソートされたと判定されるとソーティング動作を終了する。
【０３４８】
一方、全ての音声方式がソートされていない場合には、ポジション番号ポインタ１１０においてポジション番号を１つインクリメントさせ、再度ステップＳＴ１１以後の動作を行う（ステップＳＴ１８）。
【０３４９】
以上説明した自動同調回路Ａ１５は、ソーティングコントロール回路１００と音声信号方式判別回路５００に加えてユーザー入力コントロール回路２００を備えることで、ユーザーが望む放送局を、ユーザーが設定したソート順序に従ってソーティング動作を行うことにより、各ポジション番号にはユーザーが望む音声方式が自動的に設定されることになる。これは、ユーザーがポジション番号と音声方式を設定しなければならないという点ではユーザーに負担をかけることになるが、国境周辺などで他国の異なる音声方式の放送局が混在する場合に、ユーザーに必要な放送局（例えば自国の放送局）のみを設定できるという利点がある。
【０３５０】
＜第１６の実施例＞
図４８に本発明に係る第１６の実施例としてＶＴＲの自動同調装置Ａ１６の構成を示す。図４８において、図２８に示した自動同調装置Ａ１０と同一の構成については同一の符号を付し、重複する説明は省略する。自動同調装置Ａ１６においては図２８に示した自動同調装置Ａ１０のテキストデータデコーダ回路１０の代わりに映像品位判別回路６００が設けられている。
【０３５１】
ここで、映像品位判別回路６００は、第３の実施例として図７を用いて説明した自動同調装置Ａ３の映像品位検出回路３０と同様の構成であり、映像信号Ｓ１の実信号のないブランキング部分のノイズ量に比例した映像品位データＳ７を出力する。なお、映像品位検出回路３０の詳細については説明済みであるので重複する説明は省略し、以後の説明においては映像品位判別回路６００の出力を「映像品位度の判別結果」と呼称する。また、ソーティングコントロール回路１００においては、放送局情報（ステーションＩＤ）の代わりに映像品位度情報を用いることになるので、本発明に係る第１０の実施例で説明した自動同調装置Ａ１０における「ステーションＩＤ」を「映像品位度」と読み替える。
【０３５２】
次に図４９および図５０に示すフローチャートを用いて自動同調装置Ａ１６の動作について説明する。ユーザーから、オートチューニングのコマンドをシステムコントローラ７Ｄが受けると、メモリ６のメモリーのアドレスをステーション番号「０」に設定する（ステップＳＴ１）。
【０３５３】
次にチューナー回路２Ａに対してチューニングコントロール信号Ｓ３を送り、一定量だけチューニング周波数を上げる方向へ制御する（ステップＳＴ２）。この時、その周波数の信号を発信している放送局の有無を検知するため、ＡＦＴ検出回路４の出力であるＡＦＴ信号Ｓ４と、映像信号処理回路３にて分離された信号の有無を示すＳＹＮＣ信号Ｓ２とを、チューニングコントロール回路５に入力し、判別を行なう（ステップＳＴ３）。
【０３５４】
この時点で、ＡＦＴ信号Ｓ４とＳＹＮＣ信号Ｓ２が共に与えられていれば、チューニングコントロール回路５は放送局からの信号を受信できたと判断し、その時のチューニングデータをメモリ６内のステーション番号「０」のアドレスに記憶する（ステップＳＴ４）。
【０３５５】
また、同時に映像品位判別回路６００から映像品位度の判別結果を得る（ステップＳＴ５）。
【０３５６】
映像品位度の判別結果を周波数に関するデータと同様にメモリ６内のステーション番号「０」のアドレスに記憶する（ステップＳＴ６）。
【０３５７】
続いて、次のチューニングデータを記憶するために、メモリ６のアドレスを１つインクリメントして、ステーション番号「１」として次のチューニング動作に入る（ステップＳＴ７）。
【０３５８】
一方、ステップＳＴ３において、ＡＦＴ信号Ｓ４とＳＹＮＣ信号Ｓ２が共に与えられていない場合は、現在の周波数がチューニング周波数の上限に達しているか、すなわちチューニングが終了したか否かの判別を行う（ステップＳＴ８）。このときの周波数がチューニング周波数の上限に達していなければ、ステップＳＴ２の動作を再び行い、ステップＳＴ２〜ＳＴ７までの動作をチューニング周波数の上限に達するまで繰り返して行う。
【０３５９】
ステップＳＴ８においてチューニング周波数の上限に達している場合には、ソーティングコントロール回路１００のソーティング動作となる。まず、受信された各放送局の画面品位度を比較するための基準レベルを設定する。ここでは、映像品位度の検出し得る最大レベルを設定する（ステップＳＴ９）。
【０３６０】
次に、メモリ６内のチューニングデータメモリ６２をアクティブにして、ステーション番号に対応する映像品位度を読み出し、基準レベルとの比較を行い、判定部１６０において判定を行う（ステップＳＴ１０）。
【０３６１】
ステップＳＴ１０において、映像品位度が一致した場合は、メモリ６内のソート結果メモリ６３に、ポジション番号に対応させてステーション番号を記憶する（ステップＳＴ１１）。
【０３６２】
次に、ポジション番号ポインタ１１０においてポジション番号を１つインクリメントさせる（ステップＳＴ１２）。
【０３６３】
次に、現在のステーション番号が上限に達しているか否かについてステーション番号ポインタ１２０において判定する（ステップＳＴ１３）。
【０３６４】
一方、ステップＳＴ１０において映像品位度が一致していない場合にも、ステップＳＴ１３の動作を行う。
【０３６５】
ステップＳＴ１３において、現在のステーション番号が上限に達していない場合には、ステーション番号ポインタ１２０においてステーション番号を１つインクリメントさせ、再度ステップＳＴ１０以後の動作を行う（ステップＳＴ１４）。
【０３６６】
一方、現在のステーション番号が上限に達している場合には、基準レベルが映像品位度の検出し得る最少レベルであるか否かについて判別する（ステップＳＴ１５）。
【０３６７】
ステップＳＴ１５において、基準レベルが映像品位度の検出し得る最少レベルに達したと判定されるとソーティング動作を終了する。
【０３６８】
一方、基準レベルが映像品位度の検出し得る最少レベルに達していない場合には、基準レベルをデクリメントして再度ステップＳＴ１０以後の動作を行う（ステップＳＴ１６）。
【０３６９】
以上説明した自動同調回路Ａ１６は、ソーティングコントロール回路１００と映像品位度判別回路６００を備え、ソーティング動作を行うことにより、各ポジション番号には、映像品位度の高い放送局から順に自動的に設定されることになる。従って、同じ放送局が違う周波数で受信される場合などにおいて、映像品位の良好な放送局が優先的に記憶されるので、ユーザーはポジション番号の若い順に放送局を選択すれば、良好な放送を受信できるという利点がある。
【０３７０】
なお、映像品位度が同レベルの放送局が複数受信された場合はレベル比較された順番、すなわち放送周波数の低い順番もしくは高い順番にポジション番号に設定される。
【０３７１】
また、ステップＳＴ９において、最初に設定する基準レベルを最小レベルに設定しても良い。
【０３７２】
また、以上説明した自動同調回路Ａ１６では、映像品位度によってソーティングの順序を決めているが、単なるノイズ検波器によって検出されたノイズ量によってソーティングを行ってもよい。
【図面の簡単な説明】
【０３７３】
【図１】本発明に係る自動同調装置の第１の実施例の構成を示す図である。
【図２】本発明に係る自動同調装置の第１の実施例の部分構成を示す図である。
【図３】本発明に係る自動同調装置の第１の実施例の動作を説明するフローチャートである。
【図４】本発明に係る自動同調装置の第２の実施例の構成を示す図である。
【図５】本発明に係る自動同調装置の第２の実施例の部分構成を示す図である。
【図６】本発明に係る自動同調装置の第２の実施例の動作を説明するフローチャートである。
【図７】本発明に係る自動同調装置の第３の実施例の構成を示す図である。
【図８】本発明に係る自動同調装置の第３の実施例の部分構成を示す図である。
【図９】本発明に係る自動同調装置の第３の実施例の動作を説明するフローチャートである。
【図１０】本発明に係る自動同調装置の第４の実施例の構成を示す図である。
【図１１】本発明に係る自動同調装置の第４の実施例の動作の一例を示す図である。
【図１２】本発明に係る自動同調装置の第４の実施例の変形例の動作の一例を示す図である。
【図１３】本発明に係る自動同調装置の第４の実施例の変形例の動作の一例を示す図である。
【図１４】本発明に係る自動同調装置の第５の実施例の構成を示す図である。
【図１５】本発明に係る自動同調装置の第５の実施例の部分構成を示す図である。
【図１６】本発明に係る自動同調装置の第５の実施例の動作を説明するフローチャートである。
【図１７】本発明に係る自動同調装置の第５の実施例の動作を説明するフローチャートである。
【図１８】本発明に係る自動同調装置の第６の実施例の構成を示す図である。
【図１９】本発明に係る自動同調装置の第６の実施例の動作を説明するフローチャートである。
【図２０】本発明に係る自動同調装置の第７の実施例の構成を示す図である。
【図２１】本発明に係る自動同調装置の第７の実施例の動作を説明するフローチャートである。
【図２２】本発明に係る自動同調装置の第８の実施例の構成を示す図である。
【図２３】本発明に係る自動同調装置の第８の実施例の動作を説明するフローチャートである。
【図２４】本発明に係る自動同調装置の第８の実施例の動作を説明するフローチャートである。
【図２５】本発明に係る自動同調装置の第９の実施例の構成を示す図である。
【図２６】本発明に係る自動同調装置の第９の実施例の部分構成を示す図である。
【図２７】本発明に係る自動同調装置の第９の実施例の動作を説明するフローチャートである。
【図２８】本発明に係る自動同調装置の第１０の実施例の構成を示す図である。
【図２９】本発明に係る自動同調装置の第１０の実施例の部分構成を示す図である。
【図３０】本発明に係る自動同調装置の第１０の実施例の動作を説明するフローチャートである。
【図３１】本発明に係る自動同調装置の第１０の実施例の動作を説明するフローチャートである。
【図３２】本発明に係る自動同調装置の第１１の実施例の構成を示す図である。
【図３３】本発明に係る自動同調装置の第１１の実施例の部分構成を示す図である。
【図３４】本発明に係る自動同調装置の第１１の実施例の動作を説明するフローチャートである。
【図３５】本発明に係る自動同調装置の第１１の実施例の動作を説明するフローチャートである。
【図３６】本発明に係る自動同調装置の第１２の実施例の構成を示す図である。
【図３７】本発明に係る自動同調装置の第１２の実施例の動作を説明するフローチャートである。
【図３８】本発明に係る自動同調装置の第１２の実施例の動作を説明するフローチャートである。
【図３９】本発明に係る自動同調装置の第１３の実施例の部分構成を示す図である。
【図４０】本発明に係る自動同調装置の第１３の実施例の動作を説明するフローチャートである。
【図４１】本発明に係る自動同調装置の第１３の実施例の動作を説明するフローチャートである。
【図４２】本発明に係る自動同調装置の第１４の実施例の構成を示す図である。
【図４３】本発明に係る自動同調装置の第１４の実施例の動作を説明するフローチャートである。
【図４４】本発明に係る自動同調装置の第１４の実施例の動作を説明するフローチャートである。
【図４５】本発明に係る自動同調装置の第１５の実施例の構成を示す図である。
【図４６】本発明に係る自動同調装置の第１５の実施例の動作を説明するフローチャートである。
【図４７】本発明に係る自動同調装置の第１５の実施例の動作を説明するフローチャートである。
【図４８】本発明に係る自動同調装置の第１６の実施例の構成を示す図である。
【図４９】本発明に係る自動同調装置の第１６の実施例の動作を説明するフローチャートである。
【図５０】本発明に係る自動同調装置の第１６の実施例の動作を説明するフローチャートである。
【図５１】従来の自動同調装置の構成を示す図である。
【図５２】従来の自動同調装置の動作を説明するフローチャートである。
【図５３】従来の自動同調装置の動作を説明する図である。
【符号の説明】
【０３７４】
４０  キャラクタゼネレータ回路、ＳＣ  受像画面、６０  音声処理装置、６１０〜６４０  電圧制御発振器、６１  ソート基準メモリ、６２  チューニングデータメモリ、６３  ソート結果メモリ、キー入力装置。
【図１】
2004173298.tif 000003
【図２】
2004173298.tif 000004
【図３】
2004173298.tif 000005
【図４】
2004173298.tif 000006
【図５】
2004173298.tif 000007
【図６】
2004173298.tif 000008
【図７】
2004173298.tif 000009
【図８】
2004173298.tif 000010
【図９】
2004173298.tif 000011
【図１０】
2004173298.tif 000012
【図１１】
2004173298.tif 000013
【図１２】
2004173298.tif 000014
【図１３】
2004173298.tif 000015
【図１４】
2004173298.tif 000016
【図１５】
2004173298.tif 000017
【図１６】
2004173298.tif 000018
【図１７】
2004173298.tif 000019
【図１８】
2004173298.tif 000020
【図１９】
2004173298.tif 000021
【図２０】
2004173298.tif 000022
【図２１】
2004173298.tif 000023
【図２２】
2004173298.tif 000024
【図２３】
2004173298.tif 000025
【図２４】
2004173298.tif 000026
【図２５】
2004173298.tif 000027
【図２６】
2004173298.tif 000028
【図２７】
2004173298.tif 000029
【図２８】
2004173298.tif 000030
【図２９】
2004173298.tif 000031
【図３０】
2004173298.tif 000032
【図３１】
2004173298.tif 000033
【図３２】
2004173298.tif 000034
【図３３】
2004173298.tif 000035
【図３４】
2004173298.tif 000036
【図３５】
2004173298.tif 000037
【図３６】
2004173298.tif 000038
【図３７】
2004173298.tif 000039
【図３８】
2004173298.tif 000040
【図３９】
2004173298.tif 000041
【図４０】
2004173298.tif 000042
【図４１】
2004173298.tif 000043
【図４２】
2004173298.tif 000044
【図４３】
2004173298.tif 000045
【図４４】
2004173298.tif 000046
【図４５】
2004173298.tif 000047
【図４６】
2004173298.tif 000048
【図４７】
2004173298.tif 000049
【図４８】
2004173298.tif 000050
【図４９】
2004173298.tif 000051
【図５０】
2004173298.tif 000052
【図５１】
2004173298.tif 000053
【図５２】
2004173298.tif 000054
【図５３】
2004173298.tif 000055